(57)【要約】【課題】ＩＣカードへの提供情報をサーバに蓄積して、クライアント装置によるサーバアクセスにより閲覧可能とする。【解決手段】デジタルサイネージなどの情報提供端末に備えられた通信部とＩＣカードとの通信情報を管理サーバに蓄積し、ＰＣなどのクライアント端末から管理サーバをアクセスしてサーバからＩＣカード蓄積情報あるいはその関連情報を取得可能とした。情報提供端末がカードＩＤ、およびＩＣカードに対する提供情報または提供情報ＩＤを管理サーバに送信し、管理サーバがカードＩＤと提供情報とを対応付けてデータベースに管理し、クライアント端末からの情報要求に応じて、ＩＣカードに対する提供情報をデータベースから取得してクライアント端末に提供する。【選択図】図１
2009134694.tif 000002
【特許請求の範囲】
【請求項１】
カードＩＤを記憶したＩＣカードと、
前記ＩＣカードのカードＩＤを読み取り、ＩＣカードに対して情報提供を実行するとともに、前記カードＩＤ、およびＩＣカードに対する提供情報または提供情報ＩＤを管理サーバに送信する情報提供端末と、
前記情報提供端末から、前記カードＩＤおよびＩＣカードに対する提供情報または提供情報ＩＤを受信し、カードＩＤと提供情報とを対応付けて管理するデータベースを有するとともに、クライアント端末からの情報要求に応じて、前記ＩＣカードに対する提供情報を前記データベースから取得してクライアント端末に提供する管理サーバと、
前記管理サーバからの提供情報を表示するクライアント端末と、
を有する情報提供システム。
【請求項２】
前記クライアント端末は、
前記ＩＣカードからカードＩＤを読み取り、読み取ったカードＩＤを前記管理サーバに送信する処理を実行する構成であり、
前記管理サーバは、
前記クライアント装置からの受信カードＩＤに基づいて、前記データベースの検索を実行して、受信カードＩＤの設定されたＩＣカードに提供した情報を前記データベースから取得してクライアント端末に提供する処理を実行する構成であることを特徴とする請求項１に記載の情報提供システム。
【請求項３】
前記管理サーバは、
前記クライアント端末から、カードＩＤおよびクライアント端末識別情報を受信し、受信したカードＩＤとクライアント端末識別情報とを対応付けたＩＤ対応管理情報を登録する構成であり、
登録されたＩＤ対応管理情報を利用して、前記クライアント端末から受信するクライアント端末識別情報に対応するカードＩＤを判別し、判別したカードＩＤによって特定されるＩＣカードに対する提供情報を前記データベースから取得してクライアント端末に提供する処理を実行することを特徴とする請求項１に記載の情報提供システム。
【請求項４】
前記ＩＣカードはＩＣカード機能を有する情報処理装置である請求項１〜３いずれかに記載の情報提供システム。
【請求項５】
カードＩＤを記憶したＩＣカードと、
前記ＩＣカードのカードＩＤを読み取り、ＩＣカードに対して情報提供を実行するとともに、前記カードＩＤ、およびＩＣカードに対する提供情報または提供情報ＩＤを管理サーバに送信する情報提供端末と、
前記情報提供端末から、前記カードＩＤ、およびＩＣカードに対する提供情報または提供情報ＩＤを受信し、カードＩＤと提供情報とを対応付けて情報提供サーバに送信する管理サーバと、
前記管理サーバから、前記カードＩＤ、およびＩＣカードに対する提供情報または提供情報ＩＤを受信し、カードＩＤと提供情報とを対応付けて管理するデータベースを有するとともに、クライアント端末からの情報要求に応じて、前記ＩＣカードに対する提供情報を前記データベースから取得してクライアント端末に提供する情報提供サーバと、
前記情報提供サーバからの提供情報を表示するクライアント端末と、
を有する情報提供システム。
【請求項６】
前記情報提供サーバは、
前記クライアント端末から、カードＩＤおよびクライアント端末識別情報を受信し、受信したカードＩＤとクライアント端末識別情報とを対応付けたＩＤ対応管理情報を登録する構成であり、
登録されたＩＤ対応管理情報を利用して、前記クライアント端末から受信するクライアント端末識別情報に対応するカードＩＤを判別し、判別したカードＩＤによって特定されるＩＣカードに対する提供情報を前記データベースから取得してクライアント端末に提供する処理を実行することを特徴とする請求項５に記載の情報提供システム。
【請求項７】
前記ＩＣカードはＩＣカード機能を有する情報処理装置である請求項５または６に記載の情報提供システム。
【請求項８】
カードＩＤを記憶したＩＣカードと、
前記ＩＣカードのカードＩＤを読み取り、ＩＣカードに対して情報提供を実行するとともに、前記カードＩＤ、およびＩＣカードに対する提供情報または提供情報ＩＤを管理サーバに送信する情報提供端末と、
前記情報提供端末から、前記カードＩＤ、およびＩＣカードに対する提供情報または提供情報ＩＤを受信し、カードＩＤと提供情報とを対応付けて管理するデータベースを有するとともに、クライアント端末からの情報要求に応じて、前記ＩＣカードに対する提供情報を前記データベースから取得してクライアント端末に提供する管理サーバと、
前記クライアント端末からの要求に応じてウェブページを提供するウェブ情報提供サーバと、
前記ウェブ情報提供サーバの提供するウェブページに、前記管理サーバからの提供情報をマージして表示するクライアント端末と、
を有する情報提供システム。
【請求項９】
前記ウェブ情報提供サーバは、
前記管理サーバがクライアント端末に提供する情報の表示領域を設定したウェブページを生成して前記クライアント端末に提供する構成であり、
前記クライアント端末は、
前記ウェブ情報提供サーバによって提供されるウェブページ内の設定領域に、前記管理サーバの提供情報を表示する設定とした表示データ生成処理を実行する構成であることを特徴とする請求項８に記載の情報提供システム。
【請求項１０】
前記管理サーバは、
前記クライアント端末から、カードＩＤおよびクライアント端末識別情報を受信し、受信したカードＩＤとクライアント端末識別情報とを対応付けたＩＤ対応管理情報を登録する構成であり、
登録されたＩＤ対応管理情報を利用して、前記クライアント端末から受信するクライアント端末識別情報に対応するカードＩＤを判別し、判別したカードＩＤによって特定されるＩＣカードに対する提供情報を前記データベースから取得してクライアント端末に提供する処理を実行することを特徴とする請求項８に記載の情報提供システム。
【請求項１１】
前記ＩＣカードはＩＣカード機能を有する情報処理装置である請求項８〜１０いずれかに記載の情報提供システム。
【請求項１２】
ＩＣカードに対する情報提供処理を実行する情報処理装置であり、
ＩＣカードのカードＩＤを読み取り、ＩＣカードに対して情報提供を実行する近接非接触通信を実行する通信部と、
前記通信部を介して入力したカードＩＤと、ＩＣカードに対して提供した情報または情報ＩＤを組み合わせて、管理サーバに送信する処理を実行する制御部と、
を有することを特徴とする情報処理装置。
【請求項１３】
前記ＩＣカードはＩＣカード機能を有する情報処理装置である請求項１２に記載の情報処理装置。
【請求項１４】
クライアント端末に対する情報提供処理を実行する情報処理装置であり、
ＩＣカードに対する情報提供処理を実行する情報提供端末から、情報提供処理を実行したＩＣカードのカードＩＤ、およびＩＣカードに対する提供情報または提供情報ＩＤを受信する通信部と、
カードＩＤと提供情報とを対応付けてデータベースに格納し管理するとともに、クライアント端末からの情報要求に応じて、前記ＩＣカードに対する提供情報を前記データベースから取得してクライアント端末に提供する処理を実行する制御部と、
を有することを特徴とする情報処理装置。
【請求項１５】
前記制御部は、
前記クライアント端末から、カードＩＤおよびクライアント端末識別情報を受信し、受信したカードＩＤとクライアント端末識別情報とを対応付けたＩＤ対応管理情報を記憶部に登録し、登録されたＩＤ対応管理情報を利用して、前記クライアント端末から受信するクライアント端末識別情報に対応するカードＩＤを判別し、判別したカードＩＤによって特定されるＩＣカードに対する提供情報を前記データベースから取得してクライアント端末に提供する処理を実行することを特徴とする請求項１４に記載の情報処理装置。
【請求項１６】
前記ＩＣカードはＩＣカード機能を有する情報処理装置である請求項１４または１５に記載の情報処理装置。
【請求項１７】
情報提供端末が、ＩＣカードのカードＩＤを読み取り、ＩＣカードに対して情報提供を行うとともに、前記カードＩＤ、およびＩＣカードに対する提供情報または提供情報ＩＤを管理サーバに送信するステップと、
管理サーバが、前記情報提供端末から前記カードＩＤおよびＩＣカードに対する提供情報または提供情報ＩＤを受信し、カードＩＤと提供情報とを対応付けてデータベースに記録するステップと、
前記管理サーバが、クライアント端末からの情報要求に応じて、前記ＩＣカードに対する提供情報を前記データベースから取得してクライアント端末に提供するステップと、
クライアント端末が、前記管理サーバからの提供情報をディスプレイに表示するステップと、
を有する情報処理方法。
【請求項１８】
情報提供端末が、ＩＣカードのカードＩＤを読み取り、ＩＣカードに対して情報提供を行うとともに、前記カードＩＤ、およびＩＣカードに対する提供情報または提供情報ＩＤを管理サーバに送信するステップと、
管理サーバが、前記情報提供端末から前記カードＩＤおよびＩＣカードに対する提供情報または提供情報ＩＤを受信し、カードＩＤと提供情報とを対応付けて情報提供サーバに送信するステップと、
情報提供サーバが、前記管理サーバから前記カードＩＤおよびＩＣカードに対する提供情報または提供情報ＩＤを受信し、カードＩＤと提供情報とを対応付けてデータベースに記録するステップと、
前記情報提供サーバが、クライアント端末からの情報要求に応じて、前記ＩＣカードに対する提供情報を前記データベースから取得してクライアント端末に提供するステップと、
クライアント端末が、前記情報提供サーバからの提供情報をディスプレイに表示するステップと、
を有する情報処理方法。
【請求項１９】
情報提供端末が、ＩＣカードのカードＩＤを読み取り、ＩＣカードに対して情報提供を行うとともに、前記カードＩＤ、およびＩＣカードに対する提供情報または提供情報ＩＤを管理サーバに送信するステップと、
管理サーバが、前記情報提供端末から前記カードＩＤおよびＩＣカードに対する提供情報または提供情報ＩＤを受信し、カードＩＤと提供情報とを対応付けてデータベースに記録するステップと、
前記管理サーバが、クライアント端末からの情報要求に応じて、前記ＩＣカードに対する提供情報を前記データベースから取得してクライアント端末に提供するステップと、
クライアント端末が、ウェブ情報提供サーバの提供するウェブページ上に前記管理サーバからの提供情報をマージしてディスプレイに表示するステップと、
を有する情報処理方法。
【請求項２０】
ＩＣカードに対する情報提供処理を実行する情報処理装置において実行する情報処理方法であり、
通信部が、ＩＣカードのカードＩＤを読み取り、ＩＣカードに対して情報提供を実行する近接非接触通信を実行する通信ステップと、
制御部が、前記通信部を介して入力したカードＩＤと、ＩＣカードに対して提供した情報または情報ＩＤを組み合わせて、管理サーバに送信する処理を実行するデータ処理ステップと、
を有することを特徴とする情報処理方法。
【請求項２１】
クライアント端末に対する情報提供処理を実行する情報処理装置において実行する情報処理方法であり、
通信部が、ＩＣカードに対する情報提供処理を実行する情報提供端末から、情報提供処理を実行したＩＣカードのカードＩＤ、およびＩＣカードに対する提供情報または提供情報ＩＤを受信する通信ステップと、
制御部が、カードＩＤと提供情報とを対応付けてデータベースに格納し管理するステップと、
前記制御部が、クライアント端末からの情報要求に応じて、前記ＩＣカードに対する提供情報を前記データベースから取得してクライアント端末に提供する処理を実行するステップと、
を有することを特徴とする情報処理方法。
【請求項２２】
ＩＣカードに対する情報提供処理を実行する情報処理装置において情報処理を実行させるコンピュータ・プログラムであり、
通信部に、ＩＣカードのカードＩＤを読み取り、ＩＣカードに対して情報提供を実行する近接非接触通信を実行させる通信ステップと、
制御部に、前記通信部を介して入力したカードＩＤと、ＩＣカードに対して提供した情報または情報ＩＤを組み合わせて、管理サーバに送信する処理を実行させるデータ処理ステップと、
を有することを特徴とするコンピュータ・プログラム。
【請求項２３】
クライアント端末に対する情報提供処理を実行する情報処理装置において情報処理を実行させるコンピュータ・プログラムであり、
通信部に、ＩＣカードに対する情報提供処理を実行する情報提供端末から、情報提供処理を実行したＩＣカードのカードＩＤ、およびＩＣカードに対する提供情報または提供情報ＩＤを受信させる通信ステップと、
制御部に、カードＩＤと提供情報とを対応付けてデータベースに格納させるステップと、
前記制御部に、クライアント端末からの情報要求に応じて、前記ＩＣカードに対する提供情報を前記データベースから取得してクライアント端末に提供する処理を実行させるステップと、
を有することを特徴とするコンピュータ・プログラム。
【発明の詳細な説明】
【技術分野】
【０００１】
本発明は、情報提供システム、情報処理装置、および情報処理方法、並びにコンピュータ・プログラムに関する。さらに、詳細には、ＩＣカードを利用した通信情報に基づいて情報提供を行う情報提供システム、情報処理装置、および情報処理方法、並びにコンピュータ・プログラムに関する。
【背景技術】
【０００２】
公共の場所やショップ（店）などに設置したディスプレイに広告情報などを表示してユーザに提供するシステムであるデジタルサイネージや、ポスターに近接通信可能なＩＣチップを備えさせてＩＣチップからユーザの有するＩＣカードに情報を出力する機能を持つシステムが利用されている。
【０００３】
例えば、ＩＣ回路とアンテナを備え非接触通信を可能としたＲＦＩＤ（ＲａｄｉｏＦｒｅｑｕｅｎｃｙ  ＩＤｅｎｔｉｆｉｃａｔｉｏｎ）をデジタルサイネージやスマートポスターに装着し、ユーザの有する非接触通信機能を持つＩＣカードをＲＦＩＤに近づける（かざす）ことで、ＲＦＩＤ内のメモリに記憶された情報、例えば商品情報などをユーザの有するＩＣカードに送信して、ＩＣカード内のメモリに蓄積するといったシステムである。
【０００４】
ＩＣカードに蓄積された情報を利用する場合、ユーザはリーダライタ（Ｒ／Ｗ）機能を持つＰＣにＩＣカードをタッチまたはかざしてＩＣカード内の蓄積情報をＰＣ側に出力し、ＰＣのディスプレイに蓄積情報を表示することが可能となる。このような情報提供システムについては例えば特許文献１（特開２００２−２６９５０８号公報）に記載されている。
【０００５】
しかし、上述したシステムでは、ＩＣカードに蓄積した情報を閲覧するためリーダライタ（Ｒ／Ｗ）機能を持つＰＣが必要となり、リーダライタ（Ｒ／Ｗ）機能を持つＰＣを所有していないユーザはＩＣカードに蓄積した情報の閲覧ができないという問題がある。
【０００６】
さらに、一般的にＩＣカードの持つメモリの記憶容量は小さいため、ＩＣカードに格納できるデータは限られており、例えば高品質の画像データ等をＩＣカード内のメモリに格納することは不可能となる。従ってカードの蓄積データのみの閲覧ではユーザの取得できる情報が限られてしまうという問題がある。
【特許文献１】特開２００２−２６９５０８号公報
【発明の開示】
【発明が解決しようとする課題】
【０００７】
本発明は、デジタルサイネージやスマートポスターに備えられたＲＦＩＤなどの通信部とユーザのＩＣカードとの通信情報をサーバに蓄積し、この蓄積情報を利用することで、リーダライタ（Ｒ／Ｗ）機能を持たないＰＣであってもネット接続可能なＰＣを利用してサーバから様々な情報を取得することを可能とした情報提供システム、情報処理装置、および情報処理方法、並びにコンピュータ・プログラムを提供することを目的とする。
【課題を解決するための手段】
【０００８】
本発明の第１の側面は、
カードＩＤを記憶したＩＣカードと、
前記ＩＣカードのカードＩＤを読み取り、ＩＣカードに対して情報提供を実行するとともに、前記カードＩＤ、およびＩＣカードに対する提供情報または提供情報ＩＤを管理サーバに送信する情報提供端末と、
前記情報提供端末から、前記カードＩＤおよびＩＣカードに対する提供情報または提供情報ＩＤを受信し、カードＩＤと提供情報とを対応付けて管理するデータベースを有するとともに、クライアント端末からの情報要求に応じて、前記ＩＣカードに対する提供情報を前記データベースから取得してクライアント端末に提供する管理サーバと、
前記管理サーバからの提供情報を表示するクライアント端末と、
を有する情報提供システムにある。
【０００９】
さらに、本発明の情報提供システムの一実施態様において、前記クライアント端末は、前記ＩＣカードからカードＩＤを読み取り、読み取ったカードＩＤを前記管理サーバに送信する処理を実行する構成であり、前記管理サーバは、前記クライアント装置からの受信カードＩＤに基づいて、前記データベースの検索を実行して、受信カードＩＤの設定されたＩＣカードに提供した情報を前記データベースから取得してクライアント端末に提供する処理を実行する構成であることを特徴とする。
【００１０】
さらに、本発明の情報提供システムの一実施態様において、前記管理サーバは、前記クライアント端末から、カードＩＤおよびクライアント端末識別情報を受信し、受信したカードＩＤとクライアント端末識別情報とを対応付けたＩＤ対応管理情報を登録する構成であり、登録されたＩＤ対応管理情報を利用して、前記クライアント端末から受信するクライアント端末識別情報に対応するカードＩＤを判別し、判別したカードＩＤによって特定されるＩＣカードに対する提供情報を前記データベースから取得してクライアント端末に提供する処理を実行することを特徴とする。
【００１１】
さらに、本発明の情報提供システムの一実施態様において、前記ＩＣカードはＩＣカード機能を有する情報処理装置である。
【００１２】
さらに、本発明の第２の側面は、
カードＩＤを記憶したＩＣカードと、
前記ＩＣカードのカードＩＤを読み取り、ＩＣカードに対して情報提供を実行するとともに、前記カードＩＤ、およびＩＣカードに対する提供情報または提供情報ＩＤを管理サーバに送信する情報提供端末と、
前記情報提供端末から、前記カードＩＤ、およびＩＣカードに対する提供情報または提供情報ＩＤを受信し、カードＩＤと提供情報とを対応付けて情報提供サーバに送信する管理サーバと、
前記管理サーバから、前記カードＩＤ、およびＩＣカードに対する提供情報または提供情報ＩＤを受信し、カードＩＤと提供情報とを対応付けて管理するデータベースを有するとともに、クライアント端末からの情報要求に応じて、前記ＩＣカードに対する提供情報を前記データベースから取得してクライアント端末に提供する情報提供サーバと、
前記情報提供サーバからの提供情報を表示するクライアント端末と、
を有する情報提供システムにある。
【００１３】
さらに、本発明の情報提供システムの一実施態様において、前記情報提供サーバは、前記クライアント端末から、カードＩＤおよびクライアント端末識別情報を受信し、受信したカードＩＤとクライアント端末識別情報とを対応付けたＩＤ対応管理情報を登録する構成であり、登録されたＩＤ対応管理情報を利用して、前記クライアント端末から受信するクライアント端末識別情報に対応するカードＩＤを判別し、判別したカードＩＤによって特定されるＩＣカードに対する提供情報を前記データベースから取得してクライアント端末に提供する処理を実行することを特徴とする。
【００１４】
さらに、本発明の情報提供システムの一実施態様において、前記ＩＣカードはＩＣカード機能を有する情報処理装置である。
【００１５】
さらに、本発明の第３の側面は、
カードＩＤを記憶したＩＣカードと、
前記ＩＣカードのカードＩＤを読み取り、ＩＣカードに対して情報提供を実行するとともに、前記カードＩＤ、およびＩＣカードに対する提供情報または提供情報ＩＤを管理サーバに送信する情報提供端末と、
前記情報提供端末から、前記カードＩＤ、およびＩＣカードに対する提供情報または提供情報ＩＤを受信し、カードＩＤと提供情報とを対応付けて管理するデータベースを有するとともに、クライアント端末からの情報要求に応じて、前記ＩＣカードに対する提供情報を前記データベースから取得してクライアント端末に提供する管理サーバと、
前記クライアント端末からの要求に応じてウェブページを提供するウェブ情報提供サーバと、
前記ウェブ情報提供サーバの提供するウェブページに、前記管理サーバからの提供情報をマージして表示するクライアント端末と、
を有する情報提供システムにある。
【００１６】
さらに、本発明の情報提供システムの一実施態様において、前記ウェブ情報提供サーバは、前記管理サーバがクライアント端末に提供する情報の表示領域を設定したウェブページを生成して前記クライアント端末に提供する構成であり、前記クライアント端末は、前記ウェブ情報提供サーバによって提供されるウェブページ内の設定領域に、前記管理サーバの提供情報を表示する設定とした表示データ生成処理を実行する構成であることを特徴とする。
【００１７】
さらに、本発明の情報提供システムの一実施態様において、前記管理サーバは、前記クライアント端末から、カードＩＤおよびクライアント端末識別情報を受信し、受信したカードＩＤとクライアント端末識別情報とを対応付けたＩＤ対応管理情報を登録する構成であり、登録されたＩＤ対応管理情報を利用して、前記クライアント端末から受信するクライアント端末識別情報に対応するカードＩＤを判別し、判別したカードＩＤによって特定されるＩＣカードに対する提供情報を前記データベースから取得してクライアント端末に提供する処理を実行することを特徴とする。
【００１８】
さらに、本発明の情報提供システムの一実施態様において、前記ＩＣカードはＩＣカード機能を有する情報処理装置である。
【００１９】
さらに、本発明の第４の側面は、
ＩＣカードに対する情報提供処理を実行する情報処理装置であり、
ＩＣカードのカードＩＤを読み取り、ＩＣカードに対して情報提供を実行する近接非接触通信を実行する通信部と、
前記通信部を介して入力したカードＩＤと、ＩＣカードに対して提供した情報または情報ＩＤを組み合わせて、管理サーバに送信する処理を実行する制御部と、
を有することを特徴とする情報処理装置にある。
【００２０】
さらに、本発明の情報処理装置の一実施態様において、前記ＩＣカードはＩＣカード機能を有する情報処理装置である。
【００２１】
さらに、本発明の第５の側面は、
クライアント端末に対する情報提供処理を実行する情報処理装置であり、
ＩＣカードに対する情報提供処理を実行する情報提供端末から、情報提供処理を実行したＩＣカードのカードＩＤ、およびＩＣカードに対する提供情報または提供情報ＩＤを受信する通信部と、
カードＩＤと提供情報とを対応付けてデータベースに格納し管理するとともに、クライアント端末からの情報要求に応じて、前記ＩＣカードに対する提供情報を前記データベースから取得してクライアント端末に提供する処理を実行する制御部と、
を有することを特徴とする情報処理装置にある。
【００２２】
さらに、本発明の情報処理装置の一実施態様において、前記制御部は、前記クライアント端末から、カードＩＤおよびクライアント端末識別情報を受信し、受信したカードＩＤとクライアント端末識別情報とを対応付けたＩＤ対応管理情報を記憶部に登録し、登録されたＩＤ対応管理情報を利用して、前記クライアント端末から受信するクライアント端末識別情報に対応するカードＩＤを判別し、判別したカードＩＤによって特定されるＩＣカードに対する提供情報を前記データベースから取得してクライアント端末に提供する処理を実行することを特徴とする。
【００２３】
さらに、本発明の情報処理装置の一実施態様において、前記ＩＣカードはＩＣカード機能を有する情報処理装置である。
【００２４】
さらに、本発明の第６の側面は、
情報提供端末が、ＩＣカードのカードＩＤを読み取り、ＩＣカードに対して情報提供を行うとともに、前記カードＩＤ、およびＩＣカードに対する提供情報または提供情報ＩＤを管理サーバに送信するステップと、
管理サーバが、前記情報提供端末から前記カードＩＤおよびＩＣカードに対する提供情報または提供情報ＩＤを受信し、カードＩＤと提供情報とを対応付けてデータベースに記録するステップと、
前記管理サーバが、クライアント端末からの情報要求に応じて、前記ＩＣカードに対する提供情報を前記データベースから取得してクライアント端末に提供するステップと、
クライアント端末が、前記管理サーバからの提供情報をディスプレイに表示するステップと、
を有する情報処理方法にある。
【００２５】
さらに、本発明の第７の側面は、
情報提供端末が、ＩＣカードのカードＩＤを読み取り、ＩＣカードに対して情報提供を行うとともに、前記カードＩＤ、およびＩＣカードに対する提供情報または提供情報ＩＤを管理サーバに送信するステップと、
管理サーバが、前記情報提供端末から前記カードＩＤおよびＩＣカードに対する提供情報または提供情報ＩＤを受信し、カードＩＤと提供情報とを対応付けて情報提供サーバに送信するステップと、
情報提供サーバが、前記管理サーバから前記カードＩＤおよびＩＣカードに対する提供情報または提供情報ＩＤを受信し、カードＩＤと提供情報とを対応付けてデータベースに記録するステップと、
前記情報提供サーバが、クライアント端末からの情報要求に応じて、前記ＩＣカードに対する提供情報を前記データベースから取得してクライアント端末に提供するステップと、
クライアント端末が、前記情報提供サーバからの提供情報をディスプレイに表示するステップと、
を有する情報処理方法にある。
【００２６】
さらに、本発明の第８の側面は、
情報提供端末が、ＩＣカードのカードＩＤを読み取り、ＩＣカードに対して情報提供を行うとともに、前記カードＩＤ、およびＩＣカードに対する提供情報または提供情報ＩＤを管理サーバに送信するステップと、
管理サーバが、前記情報提供端末から前記カードＩＤおよびＩＣカードに対する提供情報または提供情報ＩＤを受信し、カードＩＤと提供情報とを対応付けてデータベースに記録するステップと、
前記管理サーバが、クライアント端末からの情報要求に応じて、前記ＩＣカードに対する提供情報を前記データベースから取得してクライアント端末に提供するステップと、
クライアント端末が、ウェブ情報提供サーバの提供するウェブページ上に前記管理サーバからの提供情報をマージしてディスプレイに表示するステップと、
を有する情報処理方法にある。
【００２７】
さらに、本発明の第９の側面は、
ＩＣカードに対する情報提供処理を実行する情報処理装置において実行する情報処理方法であり、
通信部が、ＩＣカードのカードＩＤを読み取り、ＩＣカードに対して情報提供を実行する近接非接触通信を実行する通信ステップと、
制御部が、前記通信部を介して入力したカードＩＤと、ＩＣカードに対して提供した情報または情報ＩＤを組み合わせて、管理サーバに送信する処理を実行するデータ処理ステップと、
を有することを特徴とする情報処理方法にある。
【００２８】
さらに、本発明の第１０の側面は、
クライアント端末に対する情報提供処理を実行する情報処理装置において実行する情報処理方法であり、
通信部が、ＩＣカードに対する情報提供処理を実行する情報提供端末から、情報提供処理を実行したＩＣカードのカードＩＤ、およびＩＣカードに対する提供情報または提供情報ＩＤを受信する通信ステップと、
制御部が、カードＩＤと提供情報とを対応付けてデータベースに格納し管理するステップと、
前記制御部が、クライアント端末からの情報要求に応じて、前記ＩＣカードに対する提供情報を前記データベースから取得してクライアント端末に提供する処理を実行するステップと、
を有することを特徴とする情報処理方法にある。
【００２９】
さらに、本発明の第１１の側面は、
ＩＣカードに対する情報提供処理を実行する情報処理装置において情報処理を実行させるコンピュータ・プログラムであり、
通信部に、ＩＣカードのカードＩＤを読み取り、ＩＣカードに対して情報提供を実行する近接非接触通信を実行させる通信ステップと、
制御部に、前記通信部を介して入力したカードＩＤと、ＩＣカードに対して提供した情報または情報ＩＤを組み合わせて、管理サーバに送信する処理を実行させるデータ処理ステップと、
を有することを特徴とするコンピュータ・プログラムにある。
【００３０】
さらに、本発明の第１２の側面は、
クライアント端末に対する情報提供処理を実行する情報処理装置において情報処理を実行させるコンピュータ・プログラムであり、
通信部に、ＩＣカードに対する情報提供処理を実行する情報提供端末から、情報提供処理を実行したＩＣカードのカードＩＤ、およびＩＣカードに対する提供情報または提供情報ＩＤを受信させる通信ステップと、
制御部に、カードＩＤと提供情報とを対応付けてデータベースに格納させるステップと、
前記制御部に、クライアント端末からの情報要求に応じて、前記ＩＣカードに対する提供情報を前記データベースから取得してクライアント端末に提供する処理を実行させるステップと、
を有することを特徴とするコンピュータ・プログラムにある。
【００３１】
なお、本発明のコンピュータ・プログラムは、例えば、様々なプログラム・コードを実行可能な汎用コンピュータ・システムに対して、コンピュータ可読な形式で提供する記憶媒体、通信媒体によって提供可能なコンピュータ・プログラムである。このようなプログラムをコンピュータ可読な形式で提供することにより、コンピュータ・システム上でプログラムに応じた処理が実現される。
【００３２】
本発明のさらに他の目的、特徴や利点は、後述する本発明の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００３３】
本発明の一実施例の構成によれば、デジタルサイネージやスマートポスターに備えられた通信部とユーザのＩＣカードとの通信情報をサーバに蓄積し、サーバ蓄積情報を利用することで、リーダライタ（Ｒ／Ｗ）機能を持たないＰＣなどのクライアント端末がサーバから様々な情報を取得することを可能とした。具体的には、情報提供端末が、ＩＣカードのカードＩＤ、およびＩＣカードに対する提供情報または提供情報ＩＤを管理サーバに送信し、管理サーバがカードＩＤと提供情報とを対応付けてデータベースに管理する。管理サーバは、クライアント端末からの情報要求に応じてＩＣカードに対する提供情報をデータベースから取得してクライアント端末に提供する。本構成により、リーダライタ（Ｒ／Ｗ）機能を持たないＰＣであってもネット接続可能なＰＣを利用してサーバから様々な情報を取得する構成が実現される。
【発明を実施するための最良の形態】
【００３４】
以下、図面を参照しながら本発明の情報提供システム、情報処理装置、および情報処理方法、並びにコンピュータ・プログラムの詳細について説明する。
【００３５】
［実施例１］
まず、図１以下を参照して本発明の第１実施例の構成および処理について説明する。図１は、本発明の第１実施例に従った情報提供システムを示している。処理の流れに沿って説明する。ユーザは、ＩＣカード１２０を有している。図には２つのＩＣカード１２０を示しているがこれは同じものである。処理は、ステップＳ１１〜Ｓ１５のシーケンスで実行される。
【００３６】
なお、ＩＣカード１２０は、カード型のＩＣカードのみならず、ＩＣカード機能を有する携帯電話、あるいは携帯端末やＰＣなどの情報処理装置であってもよい。以下の実施例において説明するＩＣカードは、カード型のＩＣカードのみならずＩＣカード機能を有する様々な情報処理装置も含む概念である。
【００３７】
ステップＳ１１〜Ｓ１５のシーケンスについて説明する。まずステップＳ１１の処理が行われる。ユーザはＩＣカード１２０を所有して、公共の場所やショップ（店）などに設置されたデジタルサイネージやスマートポスターなどによって構成される情報提供端末１１０に近づき、ＩＣカード１２０を情報提供端末の通信部（例えばＲＦＩＤ）に近づける（かざす）。この処理によって、ＩＣカード１２０は、情報提供端末１１０から例えば商品情報などを受信してＩＣカード１２０の記憶部（メモリ）に格納する。一方、ＩＣカード１２０は、ＩＣカードのメモリに記憶されているＩＣカードＩＤを出力し、情報提供端末１１０がこれを受信し、自身の記憶部に格納する。
【００３８】
情報提供端末１１０は、例えばディスプレイを持つデジタルサイネージ、あるいはＲＦＩＤチップを装着したスマートポスターなどであり、ＩＣカード１２０とのデータ送受信可能な構成を有し、例えばディスプレイやポスターに表示した情報に対応する商品情報などをＩＣカードに出力する。
【００３９】
ＩＣカード１２０は、近接非接触通信可能なカードであり、接触または非接触状態で通信を行う例えばＲＦＩＣ（Ｒａｄｉｏ  Ｆｒｅｑｕｅｎｃｙ  ＩＣ）などの通信機能を持つＩＣを備えたカードである。ＩＣカード１２０は、通信相手となるリーダライタの出力する電波あるいは磁界をアンテナで受信し、電力に変換してメモリに格納されたデータを出力し、また外部から入力するデータをメモリに格納する処理などを実行する。さらに、認証処理などのデータ処理機能を備えた構成であってもよい。
【００４０】
ＩＣカード１２０に情報を出力し、ＩＣカード１２０からカードＩＤを入力した情報提供端末１１０は、ステップＳ１２において、カードＩＤ情報と、ＩＣカードに提供した情報またはその識別情報である情報ＩＤを、ネットワークを介して管理サーバ１４０に送信する。
【００４１】
なお、この場合、情報提供端末１１０はＩＣカード１２０に対して出力した情報のみならず、その関連情報あるいは関連情報ＩＤも併せて送信する構成としてもよい。ＩＣカード１２０のメモリ容量は小さいものであり、例えば画像データなどについてはＩＣカード１２０に格納することは困難であり、ＩＣカード１２０には商品名など簡易データを出力し、商品の画像情報やその他の情報を含む詳細情報（またはそのＩＤ）を管理サーバ１４０に送信する。管理サーバ１４０は、情報提供端末１１０から受信したカードＩＤ情報と、ＩＣカードに対する提供情報（またはそのＩＤ）を含む情報を関連付けてデータベースに記録する。
【００４２】
次に、ステップＳ１３において、ＩＣカード１２０を所有するユーザは、例えば自宅に戻り、ＰＣなどのクライアント端末１３０のカードリーダ部にＩＣカード１２０をかざしてＩＣカードからカードＩＤを読み取らせる。なお、クライアント端末はＰＣに限らず、例えばＴＶなど情報表示可能な様々な機器によって構成可能である。
【００４３】
ステップＳ１４において、クライアント端末１３０は、読み取ったカードＩＤを、ネットワークを介して管理サーバ１４０に送信する。なお、管理サーバのＵＲＬ等のアドレス情報は、ユーザが入力してもよいし、ＩＣカード１２０が情報提供端末１１０から入力してＩＣカードのメモリに格納されたデータをクライアント端末１３０が読み出して利用する構成としてもよい。
【００４４】
管理サーバ１４０は、クライアント端末１３０からＩＣカードＩＤを受信すると、予め情報提供サーバ１１０から受領済みのカードＩＤ情報とＩＣカードに対する提供情報、または提供情報を含む詳細情報をデータベースから検索し、ステップＳ１５において、検索情報をクライアント端末１３０に出力する。クライアント端末１３０では、情報提供端末１１０において提供されていた商品などの詳細情報をディスプレイによって閲覧することが可能となる。
【００４５】
本実施例では、クライアント端末１３０がカードリーダを有する構成であり、ＩＣカード１２０に蓄積された情報をクライアント端末１３０が直接、読み込んで表示することも可能であるが、前述したように、ＩＣカード１２０のメモリ容量は小さく、例えば商品の画像情報などについては格納することができず、ＩＣカード１２０経由のデータ転送処理ではこのような画像情報をクライアント端末１３０に表示することができないが、管理サーバ１４０を経由することで、大容量のデータをクライアント端末１３０が受信して表示することが可能となり、例えば３Ｄグラフィック画像による商品情報なども表示することが可能となる。
【００４６】
本実施例において利用される情報提供端末１１０、ＩＣカード１２０、クライアント端末１３０、管理サーバ１４０構成例について図２を参照して説明する。
【００４７】
情報提供端末１１０
図２に示すように情報提供端末１１０は、ネットワーク１５１を介してサーバ１４０との通信を実行する通信部１１１、ＩＣカード１２０との非接触近接通信を行う通信部１１２、通信制御や、データ入出力制御を行う制御部１１３、ＩＣカード１２０や、管理サーバ１４０に対して出力するデータや、ＩＣカード１２０から入力するカードＩＤなどのデータ、さらに処理プログラムなどを記録する記憶部１１４を有する。
【００４８】
制御部１１３は、例えば、通信部１１２を介して入力したカードＩＤと、ＩＣカードに対して提供した情報または情報ＩＤを組み合わせて、管理サーバ１４０に送信する処理などを実行する。
【００４９】
ＩＣカード１２０
ＩＣカード１２０は、情報提供端末１１０やＰＣなどのクライアント端末１３０との非接触近接通信を行う通信部１２１、通信制御や記憶部１２３からのデータ取得あるいはデータ格納制御などを行う制御部１２２、情報提供端末１１０からの入力データや、カードＩＤ、さらに処理プログラムなどを記録する記憶部１２３を有する。
【００５０】
クライアント端末１３０
クライアント端末１３０は、管理サーバ１４０がネットワーク１５１を介して提供するウェブ（Ｗｅｂ）情報を閲覧するプログラムであり、ウェブ（Ｗｅｂ）サーバ上のＨＴＭＬ文書、画像、動画、音声などを表示、出力するシステムとしてのウェブクライアント１３１、ＩＣカード１２０との非接触近接通信を行う通信部１３２、通信制御や記憶部１３４からのデータ取得あるいはデータ格納制御などを行う制御部１３３、ＩＣカード１２０からの入力データ、管理サーバ１４０の提供情報、さらに処理プログラムなどを記録する記憶部１３４を有する。
【００５１】
管理サーバ１４０
管理サーバ１４０は、情報提供端末１１０や、クライアント端末１３０との通信制御やデータベース１４３のアクセス制御などを行う制御部１４１、情報提供端末１１０や、クライアント端末１３０との通信を行う通信部１４２、情報提供端末１１０からの受信情報や、クライアント端末１３０に提供する情報などを格納したデータベース１４３、クライアント端末１３０に対して提供するウェブページの生成、提供を行うウェブサーバ１４４、各種の処理プログラムなどを格納した記憶部１４５を有する。
【００５２】
制御部１４１は、例えば、カードＩＤと提供情報とを対応付けてデータベース１４３に格納し管理するとともに、クライアント端末１３０からの情報要求に応じて、ＩＣカード１２０に対する提供情報をデータベース１４３から取得してクライアント端末１３０に提供する処理などを実行する。
【００５３】
なお、管理サーバ１４０は、
（ａ）情報提供端末１１０がＩＣカード１２０に提供する情報を予めデータベース１４３に格納し、適宜、様々な提供情報を情報提供端末１１０に供給する構成、
（ｂ）情報提供端末１１０がＩＣカード１２０に提供した情報を各情報提供端末から受信してデータベースにおいて管理する構成、
これら（ａ），（ｂ）のいずれの設定としてもよい。
（ａ）の設定の場合、情報提供端末１１０は、ＩＣカードに情報を提供した場合、ＩＣカードのＩＤと提供情報のＩＤとを管理サーバ１４０に送信すればよい。
（ｂ）の設定の場合、情報提供端末１１０は、ＩＣカードに情報を提供した場合、ＩＣカードのＩＤと提供情報の実体データを管理サーバ１４０に送信する。
【００５４】
図３に管理サーバ１４０のデータベース１４３の格納データの例を示す。管理サーバ１４０のデータベース１４３には、情報提供端末１１０からネットワーク１５１を介して受信したデータが格納される。すなわち、ＩＣカードに書き込まれた情報、あるいはその書き込み情報と関連情報である。
【００５５】
データベース１４３には、図に示すように、ＩＣカードに書き込まれた書き込み情報１８２と、書き込み情報１８２を書き込んだＩＣカードのＩＤと、書き込み情報１８２の識別子である書き込み情報ＩＤとの対応データであるＩＤ対応管理情報１８１が記録される。
【００５６】
管理サーバ１４０は、クライアント端末１３０からカードＩＤを受信した場合、カードＩＤに対応してＩＤ対応管理情報１８１に記録されている書き込み情報ＩＤを取得し、書き込み情報ＩＤによって特定される書き込み情報、または書き込み情報と関連情報を含むウェブ（Ｗｅｂ）ページをクライアント端末１３０に提示する。
【００５７】
次に、図４を参照して処理シーケンスについて説明する。図４は、左からクライアント端末、ＩＣカード、情報提供端末、管理サーバを示している。前半のステップＳ１０１〜Ｓ１０５が、ＩＣカードを所有するユーザが公共の場所などの街中に設置してある情報提供端末にＩＣカードを近づける（かざす）ことによって実行される処理であり、ステップＳ１０６〜Ｓ１１３が、ＩＣカードを所有するユーザが、例えばクライアント端末を備えた家庭内において、クライアント端末にＩＣカードを近づける（かざす）ことによって実行される処理である。
【００５８】
まず、ステップＳ１０１〜Ｓ１０５の処理について説明する。
ステップＳ１０１において、ＩＣカードを所有するユーザが公共の場所などの街中に設置してある情報提供端末にＩＣカードを近づける（かざす）と、ステップＳ１０２においてＩＣカード内のメモリに記録されているＩＣカードＩＤが情報提供端末に入力され、情報提供端末内の記憶部に格納される。ステップＳ１０３では、情報提供端末からＩＣカードに対して例えば商品情報などの情報の書き込み処理が実行される。
【００５９】
その後、ステップＳ１０４において、情報提供端末は、ＩＣカードから取得したＩＣカードＩＤと、そのＩＣカードに出力した情報（またはそのＩＤ）を管理サーバに送信する。なお、この場合、情報提供端末は、ＩＣカードに出力した情報に関連する情報（またはそのＩＤ）も併せて管理サーバに送信する構成としてもよい。
【００６０】
管理サーバは、ステップＳ１０５において、情報提供端末から受領したデータをデータベースに登録する。この登録処理によって、例えば先に図３を参照して説明したデータがデータベースに格納されることになる。
【００６１】
次にＩＣカードを所有するユーザが、例えばクライアント端末を備えた家庭内において、クライアント端末にＩＣカードを近づける（かざす）ことによって実行される処理であるステップＳ１０６〜Ｓ１１３の処理について説明する。
【００６２】
まず、ステップＳ１０６において、ＩＣカードを所有するユーザが例えば自分の家にあるＰＣなどのクライアント端末にＩＣカードを近づける（かざす）と、ステップＳ１０７においてＩＣカード内のメモリに記録されているＩＣカードＩＤがクライアント端末に入力される。
【００６３】
次に、クライアント端末は、ステップＳ１０８において、書き込み情報リストの要求を、ＩＣカードから読み取ったカードＩＤとともにネットワークを介して管理サーバに送信する。なお、管理サーバのＵＲＬ等のアドレス情報は、ユーザが入力してもよいし、ＩＣカードが情報提供端末から入力してＩＣカードのメモリに格納されたデータをクライアント端末が読み出して利用する構成としてもよい。
【００６４】
書き込み情報リストのリクエストを受信した管理サーバは、ステップＳ１０９において、リクエストに含まれるカードＩＤに基づいて、先に図３を参照して説明したデータベースのＩＤ対応管理情報から、カードＩＤに対応付けられた書き込み情報ＩＤを取得し、書き込み情報ＩＤに基づいて抽出される書き込み情報の題名や商品名などの簡易情報からなるリストをクライアント端末に提示する。
【００６５】
クライアント端末は、ステップＳ１１０においてリストをディスプレイに表示し、ユーザがリストから詳細情報の取得を希望する項目を選択し、ステップＳ１１１において、その選択情報に併せて詳細情報リクエストを管理サーバに送信する。管理サーバは、ステップＳ１１２において、データベースから指定された書き込み情報に対応する詳細情報を選択してクライアント端末に提示する。ステップＳ１１３でクライアント端末は、ブラウザ上に詳細情報を表示する。なお、この詳細情報は、ＩＣカードに書き込まれた情報自体である場合もあり、ＩＣカードに書き込まれた情報と異なるさらにデータ量の多い画像データなどを含む詳細情報が含まれる場合もある。
【００６６】
なお、図４に示すシーケンス図では、管理サーバはステップＳ１０９でリストを送信し、ステップＳ１１２で詳細情報を送信する２段階の処理となっているが、ステップＳ１０９の段階で詳細情報を送信する設定としてもよい。
【００６７】
また、図４に示すシーケンス図では、ステップＳ１０２において、カードＩＤがＩＣカードから情報提供端末に送信された後に、ステップＳ１０３において、ＩＣカードに情報を書き込んだ後、ステップＳ１０４で管理サーバにＩＤを送信するシーケンスとなっているが、たとえば、情報提供端末をＷｅｂブラウザとし、管理サーバをＷｅｂサーバとして、情報提供端末には単に管理サーバ（Ｗｅｂサーバ）から送信したＨＴＭＬなどの画面情報を表示し、必要に応じて情報をＩＣカードに書き込むという処理を行う設定としてもよい。
この処理構成では、
１）ＩＣカードから情報提供端末を経由して管理サーバにＩＤを送信する。
２）管理サーバから、書き込み情報（＋表示内容など）を情報提供端末に送信し、ＩＣカードに情報を書き込む、
といったシーケンスで処理を行うことが可能である。
【００６８】
また、図４に示すシーケンス図では、クライアント端末が管理サーバに対してステップＳ１０８においてＩＣカードのＩＤを送信する設定とし、管理サーバがＩＣカードのＩＤに基づいて、ＩＣカードに対する書き込み情報を、先に図３を参照して説明したＩＤ対応管理情報に基づいて特定するという設定としているが、例えば管理サーバ側で予めユーザのクライアント端末とユーザ所有のＩＣカードとの紐付け（リンク）を設定し、クライアント端末からのログインＩＤなどによるクライアント端末対応のポータルサイトのログイン処理に応じて、そのクライアント端末に対応するユーザ所有のＩＣカードを特定し、その特定情報を利用してさらに図３を参照して説明したＩＤ対応管理情報に基づいてＩＣカードに対する書き込み情報を特定しクライアント端末に提示する書き込み情報を選択する処理構成としてもよい。
【００６９】
このような処理を行うためには、管理サーバにおいて、予めクライアント端末とユーザ所有のＩＣカードとの紐付け（リンク）を設定しておく処理が必要となる。この紐付け処理（リンク設定処理）のシーケンスについて図５を参照して説明する。
【００７０】
まず、クライアント端末は、ステップＳ１２１において、ポータルサイトのログイン処理を行う。クライアント端末は、予め管理サーバの提供するウェブページにクライアント端末専用のポータルサイトを開設し、そのアクセス、すなわちウェブページ閲覧のためのログインＩＤやパスワード等のログイン情報を設定済みであるものとする。これらのログイン情報は管理サーバにおいて登録され、登録されたログイン情報（本例ではログインＩＤとパスワード）の入力によってクライアント端末用のポータルサイトの閲覧が可能となる。
【００７１】
ステップＳ１２１で、クライアント端末はポータルサイトのログイン処理を行う。次に、ステップＳ１２２においてＩＣカードをクライアント端末のカードリーダ部にかざすと、ステップＳ１２３において、クライアント端末によってカードＩＤが読み取られる。
【００７２】
ステップＳ１２４において、クライアント端末は、ＩＣカードから読み取ったカードＩＤを管理サーバに送信する。管理サーバは、ステップＳ１２５においてＩＣカードＩＤを受信すると、カードＩＤの送信端末であるクライアント端末情報、すなわちクライアント端末のログインＩＤやパスワード情報と、ＩＣカードＩＤとを関連付けて登録する。この処理によってクライアント端末とＩＣカードとの紐付け（リンク設定）処理が完了する。
【００７３】
このようにクライアント端末とＩＣカードとの紐付け（リンク設定）処理が行われると、その後は、クライアント端末から新たにカードＩＤを送信することなく、クライアント端末のポータルサイトへのアクセス処理のみで、ＩＣカードが外部の情報提供端末から受領したデータや関連情報を管理サーバの提供するウェブページ上で閲覧することが可能となる。
【００７４】
この紐付け処理が完了した後の全体処理シーケンスについて図６を参照して説明する。図６は図４と同様、左からクライアント端末、ＩＣカード、情報提供端末、管理サーバを示している。前半のステップＳ１０１〜Ｓ１０５が、ＩＣカードを所有するユーザが公共の場所などの街中に設置してある情報提供端末にＩＣカードを近づける（かざす）ことによって実行される処理であり、この処理は、図４を参照して説明した処理と全く同様の処理となる。
【００７５】
ステップＳ１６１〜Ｓ１６７が、ＩＣカードを所有するユーザが、例えばクライアント端末を備えた家庭内において、クライアント端末が管理サーバにアクセスし、管理サーバから、ＩＣカードに格納された情報またその関連情報を取得閲覧する処理である。
【００７６】
ステップＳ１６１では、クライアント端末は、ポータルサイトのログイン処理を行う。クライアント端末は、予め管理サーバの提供するウェブページにクライアント端末専用のポータルサイトを開設し、そのアクセス、すなわちウェブページ閲覧のためのログインＩＤやパスワード等のログイン情報を入力してクライアント端末用のポータルサイトの閲覧を行う。
【００７７】
管理サーバはステップＳ１６２において、クライアント端末から入力されたログインＩＤやパスワード等のログイン情報に関連付けて登録されているＩＣカードＩＤを取得し、取得したＩＣカードＩＤに基づいて、先に図３を参照して説明したデータベースのＩＤ対応管理情報から、カードＩＤに対応付けられた書き込み情報ＩＤを取得し、ステップＳ１６３において書き込み情報ＩＤに基づいて抽出される書き込み情報の題名や商品名などの簡易情報からなるリストをクライアント端末に提示する。
【００７８】
クライアント端末は、ステップＳ１６４においてリストをディスプレイに表示し、ユーザがリストから詳細情報の取得を希望する項目を選択し、ステップＳ１６５において、その選択情報に併せて詳細情報リクエストを管理サーバに送信する。管理サーバは、ステップＳ１６６において、データベースから指定された書き込み情報に対応する詳細情報を選択してクライアント端末に提示する。ステップＳ１６７でクライアント端末は、ブラウザ上に詳細情報を表示する。なお、この詳細情報は、ＩＣカードに書き込まれた情報自体である場合もあり、ＩＣカードに書き込まれた情報と異なるさらにデータ量の多い画像データなどを含む詳細情報が含まれる場合もある。
【００７９】
このように、この処理例では、管理サーバ１４０の制御部１４１は、クライアント端末１３０からカードＩＤおよびクライアント端末識別情報を受信し、受信したカードＩＤとクライアント端末識別情報とを対応付けたＩＤ対応管理情報をデータベースまたは記憶部に登録し、登録されたＩＤ対応管理情報を利用して、クライアント端末１３０から受信するクライアント端末識別情報に対応するカードＩＤを判別し、判別したカードＩＤによって特定されるＩＣカードに対する提供情報をデータベース１４３から取得してクライアント端末１３０に提供する処理を実行する。
【００８０】
なお、図６に示すシーケンス図においても、先の図４のシーケンスと同様、管理サーバはステップＳ１６３でリストを送信し、ステップＳ１６６で詳細情報を送信する２段階の処理となっているが、ステップＳ１６３の段階で詳細情報を送信する設定としてもよい。
【００８１】
さらに、図６に示すシーケンス図においても、先の図４のシーケンスと同様、ステップＳ１０２において、カードＩＤがＩＣカードから情報提供端末に送信された後に、ステップＳ１０３において、ＩＣカードに情報を書き込んだ後、ステップＳ１０４で管理サーバにＩＤを送信するシーケンスとなっているが、たとえば、情報提供端末をＷｅｂブラウザとし、管理サーバをＷｅｂサーバとして、情報提供端末には単に管理サーバ（Ｗｅｂサーバ）から送信したＨＴＭＬなどの画面情報を表示し、必要に応じて情報をＩＣカードに書き込むという処理を行う設定としてもよい。
この処理構成では、
１）ＩＣカードから情報提供端末を経由して管理サーバにＩＤを送信する。
２）管理サーバから、書き込み情報（＋表示内容など）を情報提供端末に送信し、ＩＣカードに情報を書き込む、
といったシーケンスで処理を行うことが可能である。
【００８２】
また、上述の実施例では、情報提供端末１１０からＩＣカード１２０に対して提供情報を出力し、ＩＣカード１２０内の記憶部に格納する構成として説明したが、クライアント端末１３０が管理サーバ１４０からすべての情報を得る構成の場合には、情報提供端末１１０からＩＣカード１２０に対する提供情報の出力、格納は省略してもよい。
【００８３】
なお、先にも説明したが、ＩＣカード１２０は、カード型のＩＣカードのみならず、ＩＣカード機能を有する携帯電話、あるいは携帯端末やＰＣなどの情報処理装置であってもよい。
【００８４】
［実施例２］
次に、図７以下を参照して本発明の第２実施例の構成および処理について説明する。図７は、本発明の第２実施例に従った情報提供システムを示している。第２実施例は、第１実施例と異なり、クライアント端末２３０がＩＣカードの記憶データの読み取り機能、すなわちカードリーダの機能を有していない構成例である。さらに、第１実施例における管理サーバの機能を２つのサーバ、すなわち管理サーバ２４０と情報提供サーバ２５０に分けて、各サーバ間の連携処理によってクライアント端末２３０に対して情報を提供する構成となっている。
【００８５】
第２実施例の処理の流れについて説明する。ユーザは、ＩＣカード２２０を有している。なお、先の実施例と同様、ＩＣカード２２０は、カード型のＩＣカードのみならず、ＩＣカード機能を有する携帯電話、あるいは携帯端末やＰＣなどの情報処理装置であってもよい。以下の実施例において説明するＩＣカードは、カード型のＩＣカードのみならずＩＣカード機能を有する様々な情報処理装置も含む概念である。
【００８６】
処理はステップＳ２０１〜Ｓ２０６のシーケンスで実行される。ステップＳ２０１の処理は、事前に実行される処理であり、クライアント端末２３０と情報提供サーバ２５０間の通信によって行われる処理であり、情報提供サーバ２５０が、クライアント端末２３０とＩＣカードとの紐付け（リンク）を設定する処理である。
【００８７】
この紐付け（リンク）設定処理の詳細シーケンスについて図８を参照して説明する。まず、クライアント端末は、ステップＳ２２１において、ポータルサイトのログイン処理を行う。クライアント端末は、予め情報提供サーバの提供するウェブページにクライアント端末専用のポータルサイトを開設し、そのアクセス、すなわちウェブページ閲覧のためのログインＩＤやパスワード等のログイン情報を設定済みであるものとする。これらのログイン情報は情報提供サーバにおいて登録され、登録されたログイン情報（本例ではログインＩＤとパスワード）の入力によってクライアント端末用のポータルサイトの閲覧が可能となる。
【００８８】
ステップＳ２２１で、クライアント端末はポータルサイトのログイン処理を行う。次に、ステップＳ２２２において、ＩＣカードのＩＤをユーザ入力する。すなわちキーボードなどを介してカードＩＤを入力する。
【００８９】
ステップＳ２２３において、クライアント端末は、入力したカードＩＤを情報提供サーバに送信する。情報提供サーバは、ステップＳ２２４においてＩＣカードＩＤを受信すると、カードＩＤの送信端末であるクライアント端末情報、すなわちクライアント端末のログインＩＤやパスワード情報と、ＩＣカードＩＤとを関連付けて登録する。この処理によってクライアント端末とＩＣカードとの紐付け（リンク設定）処理が完了する。
【００９０】
情報提供サーバは、例えば、図９に示すようなＩＤ対応管理情報をデータベースに登録する。すなわちＩＣカードＩＤとクライアント端末のログインＩＤやパスワード情報とを対応付けたＩＤ対応管理情報をデータベースに登録する。このように情報提供サーバにおいてクライアント端末とＩＣカードとの紐付け（リンク設定）処理が行われると、その後は、クライアント端末からカードＩＤを送信することなく、クライアント端末のポータルサイトへのアクセス処理のみで、ＩＣカードが外部の情報提供端末から受領したデータや関連情報を情報提供サーバの提供するウェブページ上で閲覧することが可能となる。
【００９１】
図７に戻り、実施例２における全体処理シーケンスの説明を続ける。図８、図９を参照して説明した処理は図７に示すステップＳ２０１の事前登録処理であり、この後、ステップＳ２０２以降の処理が実行される。
【００９２】
ステップＳ２０２において、ＩＣカード２２０を所有するユーザが、公共の場所やショップ（店）などに設置されたデジタルサイネージやスマートポスターなどによって構成される情報提供端末２１０に近づき、ＩＣカード２２０を情報提供端末の通信部（例えばＲＦＩＤ）に近づける（かざす）。この処理によって、ＩＣカード２２０は、情報提供端末２１０から例えば商品情報などを受信してＩＣカード２２０の記憶部（メモリ）に格納する。一方、ＩＣカード２２０は、ＩＣカードのメモリに記憶されているＩＣカードＩＤを出力し、情報提供端末２１０がこれを受信し、自身の記憶部に格納する。
【００９３】
情報提供端末２１０は、例えばディスプレイを持つデジタルサイネージ、あるいはＲＦＩＤチップを装着したスマートポスターなどであり、ＩＣカード２２０とのデータ送受信可能な構成を有し、例えばディスプレイやポスターに表示した情報に対応する商品情報などをＩＣカードに出力する。
【００９４】
ＩＣカード２２０は、近接非接触通信可能なカードであり、接触または非接触状態で通信を行う例えばＲＦＩＣ（Ｒａｄｉｏ  Ｆｒｅｑｕｅｎｃｙ  ＩＣ）などの通信機能を持つＩＣを備えたカードである。ＩＣカード２２０は、通信相手となるリーダライタの出力する電波あるいは磁界をアンテナで受信し、電力に変換してメモリに格納されたデータを出力し、また外部から入力するデータをメモリに格納する処理などを実行する。さらに、認証処理などのデータ処理機能を備えた構成であってもよい。
【００９５】
ＩＣカード２２０に情報を出力し、ＩＣカード２２０からカードＩＤを入力した情報提供端末２１０は、ステップＳ２０３において、カードＩＤ情報と、ＩＣカードに提供した情報またはその識別情報である情報ＩＤを、ネットワークを介して管理サーバ２４０に送信する。
【００９６】
なお、この場合、情報提供端末２１０はＩＣカード２２０に対して出力した情報のみならず、その関連情報あるいは関連情報ＩＤも併せて送信する構成としてもよい。ＩＣカード２２０のメモリ容量は小さいものであり、例えば画像データなどについてはＩＣカード２２０に格納することは困難であり、ＩＣカード２２０には商品名など簡易データを出力し、商品の画像情報やその他の情報を含む詳細情報（またはそのＩＤ）を管理サーバ２４０に送信する。
【００９７】
次に、ステップＳ２０４において、管理サーバ２４０は、情報提供端末２１０から受信したカードＩＤ情報と、ＩＣカードに対する提供情報（またはそのＩＤ）を含む情報を関連付けた１組の情報を、情報提供サーバ２５０に送信する。
【００９８】
情報提供サーバ２５０は、管理サーバ２４０から受信したカードＩＤ情報と、ＩＣカードに対する提供情報（またはそのＩＤ）を関連付けてデータベースに記録する。なお、先に、図９を参照して説明したように、情報提供サーバ２５０は、ステップＳ２０１の事前処理において、すでにＩＣカードＩＤとクライアント端末のログインＩＤやパスワード情報とを対応付けたＩＤ対応管理情報をデータベースに登録しており、このＩＤ対応管理情報に、さらに管理サーバ２４０から受信したＩＣカードに対する提供情報（またはそのＩＤ）を追記することになる。結果として、情報提供サーバ２５０の持つデータベースは、図１０に示すデータを持つ構成となる。
【００９９】
情報提供サーバ２５０のデータベース２５１には、先に図９を参照して説明したＩＣカードＩＤとクライアント端末のログインＩＤやパスワード情報との対応情報に、さらに、管理サーバ２４０から受信したＩＣカードに対する提供情報ＩＤを追記したＩＤ対応管理情報２８１と、ＩＣカードに書き込まれた書き込み情報２８２が記録される。
【０１００】
情報提供サーバ２５０は、クライアント端末２３０から、ログインＩＤやパスワード情報を受信した場合、ログインＩＤやパスワード情報に対応してＩＤ対応管理情報２８１に記録されている書き込み情報ＩＤを取得し、書き込み情報ＩＤによって特定される書き込み情報、または書き込み情報と関連情報を含むウェブ（Ｗｅｂ）ページをクライアント端末２３０に提示する。
【０１０１】
なお、情報提供サーバ２５０は、
（ａ）情報提供端末２１０がＩＣカード２２０に提供する情報を予めデータベース２５１に格納し、適宜、様々な提供情報を情報提供端末２１０に供給する構成、
（ｂ）情報提供端末２１０がＩＣカード２２０に提供した情報を各情報提供端末から受信してデータベースにおいて管理する構成、
これら（ａ），（ｂ）のいずれの設定としてもよい。
（ａ）の設定の場合、情報提供端末２１０は、ＩＣカードに情報を提供した場合、ＩＣカードのＩＤと提供情報のＩＤとを管理サーバ２４０に送信し、管理サーバ２４０は、ＩＣカードのＩＤと提供情報のＩＤとを情報提供サーバ２５０に送信する。
（ｂ）の設定の場合、情報提供端末２１０は、ＩＣカードに情報を提供した場合、ＩＣカードのＩＤと提供情報の実体データを管理サーバ２４０に送信し、管理サーバ２４０は、ＩＣカードのＩＤと提供情報の実体データを情報提供サーバ２５０に送信する。
【０１０２】
図７に戻り、全体シーケンスについての説明を続ける。ステップＳ２０４において管理サーバ２４０からの情報を入力して、情報提供サーバ２５０がデータベースに図１０に示すデータを格納した後、ステップＳ２０５において、クライアント端末２３０は、情報提供サーバ２５０の提供するポータルサイトのログイン処理を行う。クライアント端末２３０は、前述したように予め情報提供サーバ２５０の提供するウェブページにクライアント端末専用のポータルサイトを開設し、そのアクセス、すなわちウェブページ閲覧のためのログインＩＤやパスワード等のログイン情報を設定済みであり、ログイン情報（本例ではログインＩＤとパスワード）の入力によってクライアント端末用のポータルサイトの閲覧が可能となる。
【０１０３】
情報提供サーバ２５０は、ステップＳ２０６において、クライアント端末２３０から入力されたログインＩＤやパスワード等のログイン情報を検索キーとして図１０に示すデータベース１５１のＩＤ対応管理情報２８１からＩＣカードＩＤや書き込み情報ＩＤを取得し、書き込み情報ＩＤに基づいて抽出される書き込み情報をクライアント端末２３０に提示する。なお、クライアント端末２３０はＰＣや、例えばＴＶなど情報表示可能な様々な機器によって構成可能である。
【０１０４】
本実施例では、クライアント端末２３０がカードリーダを有していない構成であり、ＩＣカード２２０に蓄積された情報は、クライアント端末２３０が直接、読み込んで表示することが不可能であるが、クライアント端末２３０は、情報提供サーバ２５０を介してＩＣカード２２０に格納された情報やその関連情報を閲覧することが可能となる。
【０１０５】
本実施例において利用される情報提供端末２１０、ＩＣカード２２０、クライアント端末２３０、管理サーバ２４０、情報提供サーバ２５０の構成例について図１１を参照して説明する。
【０１０６】
情報提供端末２１０
情報提供端末２１０の構成は先の実施例１の情報提供端末１１０と同様の構成であり、ネットワーク２９１を介して管理サーバ２４０との通信を実行する通信部２１１、ＩＣカード２２０との非接触近接通信を行う通信部２１２、通信制御や、データ入出力制御を行う制御部２１３、ＩＣカード２２０や、管理サーバ２４０に対して出力するデータや、ＩＣカード２２０から入力するカードＩＤなどのデータ、さらに処理プログラムなどを記録する記憶部２１４を有する。
【０１０７】
ＩＣカード２２０
ＩＣカード２２０も先の実施例１のＩＣカード１２０と同様の構成であり、情報提供端末２１０との非接触近接通信を行う通信部２２１、通信制御や記憶部２２３からのデータ取得あるいはデータ格納制御などを行う制御部２２２、情報提供端末２１０からの入力データや、カードＩＤ、さらに処理プログラムなどを記録する記憶部２２３を有する。
【０１０８】
クライアント端末２３０
クライアント端末２３０は、実施例１のクライアント端末１３０の構成と異なり、ＩＣカード２２０との非接触近接通信を行う通信部を有していない。本実施例２におけるクライアント端末２３０は、情報提供サーバ２５０がネットワーク２９１を介して提供するウェブ（Ｗｅｂ）情報を閲覧するプログラムであり、ウェブ（Ｗｅｂ）サーバ上のＨＴＭＬ文書、画像、動画、音声などを表示、出力するシステムとしてのウェブクライアント２３１、通信制御や記憶部２３３からのデータ取得あるいはデータ格納制御などを行う制御部２３２、情報提供サーバ２５０の提供情報、さらに処理プログラムなどを記録する記憶部２３３を有する
【０１０９】
管理サーバ２４０
管理サーバ２４０は、情報提供端末２１０や、情報提供サーバ２５０との通信制御やデータベース２４３のアクセス制御などを行う制御部２４１、情報提供端末２１０や、情報提供サーバ２５０との通信を行う通信部２４２、情報提供端末２１０からの受信情報や、情報提供サーバ２５０に提供する情報などを格納したデータベース２４３、各種の処理プログラムなどを格納した記憶部２４４を有する。
【０１１０】
情報提供サーバ２５０
情報提供サーバ２５０は、先に図１０を参照して説明したデータベース２５１、すなわち、ＩＣカードＩＤとクライアント端末のログインＩＤやパスワード情報、さらに、ＩＣカードに対する提供情報ＩＤを追記したＩＤ対応管理情報２８１と、ＩＣカードに書き込まれた書き込み情報２８２とが記録されたデータベース２５１と、管理サーバ２４０やクライアント端末２３０との通信制御やデータベース２５１のアクセス制御などを行う制御部２５２、管理サーバ２４０や、クライアント端末２３０との通信を行う通信部２５３、クライアント端末２３０に対して提供するウェブページの生成、提供を行うウェブサーバ２５４、各種の処理プログラムなどを格納した記憶部２５５を有する。
【０１１１】
次に、図１２を参照して処理シーケンスについて説明する。図１２は、左からクライアント端末、ＩＣカード、情報提供端末、管理サーバ、情報提供サーバを示している。前半のステップＳ３０１〜Ｓ３０６が、ＩＣカードを所有するユーザが公共の場所などの街中に設置してある情報提供端末にＩＣカードを近づける（かざす）ことによって実行される処理であり、ステップＳ３０７〜Ｓ３０９が、ＩＣカードを所有するユーザが、例えばクライアント端末を備えた家庭内において、クライアント端末により情報提供サーバにアクセスすることによって実行される処理である。
【０１１２】
なお、このシーケンス図におけるステップＳ３０１の処理の前に事前処理として、図７のステップＳ２０１の処理が実行済みであるものとする。すなわち図８を参照して説明した情報提供サーバによるクライアント端末とＩＣカードとの紐付け（リンク）設定処理が実行済みであり、情報提供サーバは、図９を参照して説明したクライアント端末対応のログインＩＤ／パスワードと、ＩＣカードのＩＤとの対応データであるＩＤ対応管理データが記録されているものとする。
【０１１３】
まず、ステップＳ３０１〜Ｓ３０９の処理について説明する。ステップＳ３０１において、ＩＣカードを所有するユーザが公共の場所などの街中に設置してある情報提供端末にＩＣカードを近づける（かざす）と、ステップＳ３０２においてＩＣカード内のメモリに記録されているＩＣカードＩＤが情報提供端末に入力され、情報提供端末内の記憶部に格納される。ステップＳ３０３では、情報提供端末からＩＣカードに対して例えば商品情報などの情報の書き込み処理が実行される。
【０１１４】
その後、ステップＳ３０４において、情報提供端末は、ＩＣカードから取得したＩＣカードＩＤと、そのＩＣカードに出力した情報（またはそのＩＤ）を管理サーバに送信する。なお、この場合、情報提供端末は、ＩＣカードに出力した情報に関連する情報（またはそのＩＤ）も併せて管理サーバに送信する構成としてもよい。
【０１１５】
管理サーバは、ステップＳ３０５において、情報提供端末から受領したデータを情報提供サーバに送信する。情報提供サーバは、ステップＳ３０６において、管理サーバから受信したデータをデータベースに登録する。この登録処理によって、例えば先に図１０を参照して説明したデータがデータベースに格納されることになる。
【０１１６】
次にＩＣカードを所有するユーザが、例えばクライアント端末を備えた家庭内において、クライアント端末を利用して情報提供サーバにアクセスすることによって実行される処理であるステップＳ３０７〜Ｓ３０９の処理について説明する。
【０１１７】
まず、ステップＳ３０７において、クライアント端末は、情報提供サーバの提供するポータルサイトのログイン処理を行う。クライアント端末は、予め情報提供サーバの提供するウェブページにクライアント端末専用のポータルサイトを開設し、そのアクセス、すなわちウェブページ閲覧のためのログインＩＤやパスワード等のログイン情報を設定済みであり、登録されたログイン情報（本例ではログインＩＤとパスワード）の入力によってクライアント端末用のポータルサイトの閲覧を行う。
【０１１８】
クライアント端末からのポータルサイトの閲覧要求として、クライアントからログイン情報（本例ではログインＩＤとパスワード）を受信した情報提供サーバは、先に図１０を参照して説明したデータベース内のＩＤ対応管理情報１８１からログイン情報（本例ではログインＩＤとパスワード）に対応して設定された書き込み情報ＩＤを取得し、書き込み情報ＩＤによって特定される書き込み情報を取得し、ステップＳ３０８において、クライアント端末のポータルサイト上に提示する。クライアント端末は、ステップＳ３０９において書き込み情報を閲覧することができる。
【０１１９】
なお、本例では、書き込み情報を直接閲覧可能な設定としているが、先の実施例１のシーケンス図（図６）において説明したように、最初に書き込み情報に対応するリストを提示し、リスト中からユーザが選択した情報についてその後、詳細情報を提示するといった処理を行う構成としてもよい。
【０１２０】
また、図１２に示すシーケンス図では、ステップＳ３０２において、カードＩＤがＩＣカードから情報提供端末に送信された後に、ステップＳ３０３において、ＩＣカードに情報を書き込んだ後、ステップＳ３０４で管理サーバにＩＤを送信するシーケンスとなっているが、たとえば、情報提供端末をＷｅｂブラウザとし、管理サーバをＷｅｂサーバとして、情報提供端末には単に管理サーバ（Ｗｅｂサーバ）から送信したＨＴＭＬなどの画面情報を表示し、必要に応じて情報をＩＣカードに書き込むという処理を行う設定としてもよい。
この処理構成では、例えば、
１）ＩＣカードから情報提供端末を経由して管理サーバにＩＤを送信する。
２）管理サーバから、書き込み情報（＋表示内容など）を情報提供端末に送信し、ＩＣカードに情報を書き込む、
といったシーケンスで処理を行うことが可能である。
【０１２１】
本処理例では、クライアント端末がＩＣカードの書き込みデータの内容を読み取るためのリーダー機能を有していないが、情報提供サーバを介して書き込みデータやその関連情報を閲覧することが可能となる。
【０１２２】
なお、上述の実施例でも、実施例１と同様、情報提供端末２１０からＩＣカード２２０に対して提供情報を出力し、ＩＣカード２２０内の記憶部に格納する構成として説明したが、クライアント端末２３０が情報提供サーバ２５０からすべての情報を得る構成の場合には、情報提供端末２１０からＩＣカード２２０に対する提供情報の出力、格納は省略してもよい。
【０１２３】
なお、先にも説明したが、ＩＣカード２２０は、カード型のＩＣカードのみならず、ＩＣカード機能を有する携帯電話、あるいは携帯端末やＰＣなどの情報処理装置であってもよい。
【０１２４】
［実施例３］
次に、図１３以下を参照して本発明の第３実施例の構成および処理について説明する。図１３は、本発明の第３実施例に従った情報提供システムを示している。第３実施例も、第２実施例と同様、クライアント端末３３０がＩＣカードの記憶データの読み取り機能、すなわちカードリーダの機能を有していない構成例である。さらに、本実施例では、第１実施例における管理サーバと同様、ＩＣカードに対する書き込み情報等を提供する管理サーバ３４０に加え、ウェブ（Ｗｅｂ）情報を提供するウェブ情報提供サーバ３５０を有する構成となっている。本処理例では、クライアント端末３３０は、ウェブ情報提供サーバ３５０の提供するウェブページに管理サーバ３４０の提供するＩＣカードに対する書き込み情報をマージして表示する処理を行う。
【０１２５】
第３実施例の処理の流れについて説明する。ユーザは、ＩＣカード３２０を有している。なお、先の実施例と同様、ＩＣカード３２０は、カード型のＩＣカードのみならず、ＩＣカード機能を有する携帯電話、あるいは携帯端末やＰＣなどの情報処理装置であってもよい。以下の実施例において説明するＩＣカードは、カード型のＩＣカードのみならずＩＣカード機能を有する様々な情報処理装置も含む概念である。
【０１２６】
処理はステップＳ４０１〜Ｓ４０７のシーケンスで実行される。ステップＳ４０１の処理は、事前に実行される処理であり、クライアント端末３３０と管理サーバ３４０間の通信によって行われる処理であり、管理サーバ３４０が、クライアント端末３３０とＩＣカードとの紐付け（リンク）を設定する処理である。
【０１２７】
この紐付け（リンク）設定処理は、実施例２において図８を参照して説明した処理と同様の処理であり、管理サーバ３４０はこの処理によって、先に図９を参照して説明したＩＣカードＩＤとクライアント端末のログインＩＤやパスワード情報とを対応付けたＩＤ対応管理情報をデータベースに登録する。管理サーバ３４０においてクライアント端末とＩＣカードとの紐付け（リンク設定）処理が行われると、その後は、クライアント端末からカードＩＤを送信することなく、ログインＩＤやパスワード情報の入力に基づいて、ＩＣカードが外部の情報提供端末から受領したデータや関連情報を管理サーバ３４０から取得することが可能となる。
【０１２８】
図１３に示すステップＳ４０１の事前登録処理の後、ステップＳ４０２以降の処理が実行される。ステップＳ４０２において、ＩＣカード３２０を所有するユーザが、公共の場所やショップ（店）などに設置されたデジタルサイネージやスマートポスターなどによって構成される情報提供端末３１０に近づき、ＩＣカード３２０を情報提供端末の通信部（例えばＲＦＩＤ）に近づける（かざす）。この処理によって、ＩＣカード３２０は、情報提供端末３１０から例えば商品情報などを受信してＩＣカード３２０の記憶部（メモリ）に格納する。一方、ＩＣカード３２０は、ＩＣカードのメモリに記憶されているＩＣカードＩＤを出力し、情報提供端末３１０がこれを受信し、自身の記憶部に格納する。
【０１２９】
情報提供端末３１０は、例えばディスプレイを持つデジタルサイネージ、あるいはＲＦＩＤチップを装着したスマートポスターなどであり、ＩＣカード３２０とのデータ送受信可能な構成を有し、例えばディスプレイやポスターに表示した情報に対応する商品情報などをＩＣカードに出力する。
【０１３０】
ＩＣカード３２０は、近接非接触通信可能なカードであり、接触または非接触状態で通信を行う例えばＲＦＩＣ（Ｒａｄｉｏ  Ｆｒｅｑｕｅｎｃｙ  ＩＣ）などの通信機能を持つＩＣを備えたカードである。ＩＣカード３２０は、通信相手となるリーダライタの出力する電波あるいは磁界をアンテナで受信し、電力に変換してメモリに格納されたデータを出力し、また外部から入力するデータをメモリに格納する処理などを実行する。さらに、認証処理などのデータ処理機能を備えた構成であってもよい。
【０１３１】
ＩＣカード３２０に情報を出力し、ＩＣカード３２０からカードＩＤを入力した情報提供端末３１０は、ステップＳ４０３において、カードＩＤ情報と、ＩＣカードに提供した情報またはその識別情報である情報ＩＤを、ネットワークを介して管理サーバ３４０に送信する。
【０１３２】
なお、この場合、情報提供端末３１０はＩＣカード３２０に対して出力した情報のみならず、その関連情報あるいは関連情報ＩＤも併せて送信する構成としてもよい。ＩＣカード３２０のメモリ容量は小さいものであり、例えば画像データなどについてはＩＣカード３２０に格納することは困難であり、ＩＣカード３２０には商品名など簡易データを出力し、商品の画像情報やその他の情報を含む詳細情報（またはそのＩＤ）を管理サーバ３４０に送信する。
【０１３３】
管理サーバ３４０は、ステップＳ４０１の事前処理において、すでにＩＣカードＩＤとクライアント端末のログインＩＤやパスワード情報とを対応付けたＩＤ対応管理情報をデータベースに登録しており、このＩＤ対応管理情報に、さらに情報提供端末４１０から受信したＩＣカードに対する提供情報（またはそのＩＤ）を追記することになる。結果として、管理サーバ３４０の持つデータベースは、先の実施例２において説明した図１０に示すデータと同様のデータを持つ構成となる。
【０１３４】
次に、ステップＳ４０４において、クライアント端末３３０は、ウェブ（Ｗｅｂ）情報提供サーバ３５０に対するアクセスを実行する。例えばログインＩＤやパスワード情報の入力により、ウェブ（Ｗｅｂ）情報提供サーバ３５０にアクセスを行い、ステップＳ４０５において、ウェブ（Ｗｅｂ）情報提供サーバ３５０の提供するポータルサイトを表示する。なお、クライアント端末３３０はＰＣや、例えばＴＶなど情報表示可能な様々な機器によって構成可能である。
【０１３５】
さらに、クライアント端末３３０は、管理サーバ３４０に対してもアクセスを実行する。例えばログインＩＤやパスワード情報の入力により、管理サーバ３４０にアクセスを行う。管理サーバ３４０は、クライアント端末３３０から入力されたログインＩＤやパスワード等のログイン情報を検索キーとして図１０に示すデータベースのＩＤ対応管理情報２８１からＩＣカードＩＤや書き込み情報ＩＤを取得し、書き込み情報ＩＤに基づいて抽出される書き込み情報をクライアント端末３３０に提示する。
【０１３６】
クライアント端末３３０は、ウェブ（Ｗｅｂ）情報提供サーバ３５０の提供するウェブページに、管理サーバ３４０の提供する書き込み情報をマージして表示する。例えば、ウェブ（Ｗｅｂ）情報提供サーバ３５０の提供するウェブページには、予め管理サーバ３４０の提供する書き込み情報を表示する領域が設定され、クライアント端末においてこの情報に従って２つの異なるサーバからの情報をマージして表示する。
【０１３７】
マージ処理の具体例について図１４を参照して説明する。図１４には、
（Ａ）ウェブ（Ｗｅｂ）情報提供サーバ３５０の提供するウェブページ
（Ｂ）管理サーバ３４０の提供する書き込み情報、
これらの各サーバからクライアント端末に提供されるデータ例を示す。
【０１３８】
（Ａ）ウェブ（Ｗｅｂ）情報提供サーバ３５０の提供するウェブページには、管理サーバ３４０の提供する書き込み情報を表示する領域が設けられている。図に示す、
＜ｅｍｂｄｅｄ  ＵＲＬ＝"ｗｗｗ．ｋａｎｒｉ−ｓｅｒｖｅｒ・・・＞
の領域である。クライアント端末はこのウェブ（Ｗｅｂ）情報提供サーバ３５０の提供するウェブページ上のデータ挿入領域に、
（Ｂ）管理サーバ３４０の提供する書き込み情報、
を上書きする形でマージ処理を実行し、２つの異なるサーバからのデータを一画面上に表示して閲覧することができる。
【０１３９】
なお、管理サーバ３４０は、実施例１と同様、
（ａ）情報提供端末３１０がＩＣカード３２０に提供する情報を予めデータベースに格納し、適宜、様々な提供情報を情報提供端末３１０に供給する構成、
（ｂ）情報提供端末３１０がＩＣカード３２０に提供した情報を各情報提供端末から受信してデータベースにおいて管理する構成、
これら（ａ），（ｂ）のいずれの設定としてもよい。
（ａ）の設定の場合、情報提供端末３１０は、ＩＣカードに情報を提供した場合、ＩＣカードのＩＤと提供情報のＩＤとを管理サーバ３４０に送信する。
（ｂ）の設定の場合、情報提供端末３１０は、ＩＣカードに情報を提供した場合、ＩＣカードのＩＤと提供情報の実体データを管理サーバ３４０に送信する。
【０１４０】
本実施例では、クライアント端末３３０がカードリーダを有していない構成であり、ＩＣカード３２０に蓄積された情報は、クライアント端末３３０が直接、読み込んで表示することが不可能であるが、クライアント端末３３０は、管理サーバ３４０を介してＩＣカード３２０に格納された情報やその関連情報を閲覧することが可能となる。
【０１４１】
本実施例において利用される情報提供端末３１０、ＩＣカード３２０、クライアント端末３３０、管理サーバ３４０、ウェブ（Ｗｅｂ）情報提供サーバ３５０の構成例について図１５を参照して説明する。
【０１４２】
情報提供端末３１０
情報提供端末３１０の構成は先の実施例１の情報提供端末１１０と同様の構成であり、ネットワーク３９１を介して管理サーバ３４０との通信を実行する通信部３１１、ＩＣカード３２０との非接触近接通信を行う通信部３１２、通信制御や、データ入出力制御を行う制御部３１３、ＩＣカード３２０や、管理サーバ３４０に対して出力するデータや、ＩＣカード３２０から入力するカードＩＤなどのデータ、さらに処理プログラムなどを記録する記憶部２１４を有する。
【０１４３】
ＩＣカード３２０
ＩＣカード３２０も先の実施例１のＩＣカード１２０と同様の構成であり、情報提供端末３１０との非接触近接通信を行う通信部３２１、通信制御や記憶部３２３からのデータ取得あるいはデータ格納制御などを行う制御部３２２、情報提供端末３１０からの入力データや、カードＩＤ、さらに処理プログラムなどを記録する記憶部３２３を有する。
【０１４４】
クライアント端末３３０
クライアント端末３３０は、実施例２のクライアント端末２３０と同様の構成であり、ＩＣカード３２０との非接触近接通信を行う通信部を有していない。本実施例３におけるクライアント端末３３０は、管理サーバ３４０、およびウェブ（Ｗｅｂ）情報提供サーバ３５０がネットワーク３９１を介して提供する情報を閲覧するプログラムとしてのウェブクライアント３３１、通信制御や記憶部３３３からのデータ取得あるいはデータ格納制御などを行う制御部３３２、管理サーバ３４０やウェブ（Ｗｅｂ）情報提供サーバ３５０の提供情報、さらに処理プログラムなどを記録する記憶部３３３を有する。なお、前述の管理サーバ３４０やウェブ（Ｗｅｂ）情報提供サーバ３５０の提供情報のマージ処理はウェブクライアント３３１において実行される。
【０１４５】
管理サーバ３４０
管理サーバ３４０は、情報提供端末３１０や、ウェブ（Ｗｅｂ）情報提供サーバ３５０、クライアント端末３３０との通信制御やデータベース３４３のアクセス制御などを行う制御部３４１、情報提供端末３１０や、ウェブ（Ｗｅｂ）情報提供サーバ３５０、クライアント端末３３０との通信を行う通信部３４２、情報提供端末３１０からの受信情報や、クライアント端末３３０に提供する情報などを格納したデータベース３４３、クライアント端末３３０に提供する情報を生成するウェブ（Ｗｅｂ）サーバ３４４、各種の処理プログラムなどを格納した記憶部３４５を有する。なお、データベース３４３の格納情報は、先に実施例２において情報提供サーバのデータベース例として説明した図１０に示すデータベースの格納データと同様のデータである。
【０１４６】
ウェブ（Ｗｅｂ）情報提供サーバ３５０
ウェブ（Ｗｅｂ）情報提供サーバ３５０は、クライアント端末３３０に提供する情報が記録されたデータベース３５１と、管理サーバ３４０やクライアント端末３３０との通信制御やデータベース３５１のアクセス制御などを行う制御部３５２、管理サーバ３４０や、クライアント端末３３０との通信を行う通信部３５３、クライアント端末３３０に対して提供するウェブページの生成、提供を行うウェブサーバ３５４、各種の処理プログラムなどを格納した記憶部３５５を有する。
【０１４７】
次に、図１６を参照して本実施例の処理シーケンスについて説明する。図１６には、左からクライアント端末、ＩＣカード、情報提供端末、管理サーバ、ウェブ（Ｗｅｂ）情報提供サーバを示している。前半のステップＳ５０１〜Ｓ５０５が、ＩＣカードを所有するユーザが公共の場所などの街中に設置してある情報提供端末にＩＣカードを近づける（かざす）ことによって実行される処理であり、ステップＳ５０６〜Ｓ５１１が、ＩＣカードを所有するユーザが、例えばクライアント端末を備えた家庭内において、クライアント端末によるサーバアクセスによって実行される処理である。
【０１４８】
なお、このシーケンス図におけるステップＳ５０１の処理の前に事前処理として、図１３のステップＳ４０１の処理が実行済みであるものとする。すなわち図８を参照して説明したと同様の処理によって、管理サーバによるクライアント端末とＩＣカードとの紐付け（リンク）設定処理が実行済みであり、管理サーバは、図９を参照して説明したクライアント端末対応のログインＩＤ／パスワードと、ＩＣカードのＩＤとの対応データであるＩＤ対応管理データが記録されているものとする。
【０１４９】
まず、ステップＳ５０１〜Ｓ５０５の処理について説明する。ステップＳ５０１において、ＩＣカードを所有するユーザが公共の場所などの街中に設置してある情報提供端末にＩＣカードを近づける（かざす）と、ステップＳ５０２においてＩＣカード内のメモリに記録されているＩＣカードＩＤが情報提供端末に入力され、情報提供端末内の記憶部に格納される。ステップＳ５０３では、情報提供端末からＩＣカードに対して例えば商品情報などの情報の書き込み処理が実行される。
【０１５０】
その後、ステップＳ５０４において、情報提供端末は、ＩＣカードから取得したＩＣカードＩＤと、そのＩＣカードに出力した情報（またはそのＩＤ）を管理サーバに送信する。なお、この場合、情報提供端末は、ＩＣカードに出力した情報に関連する情報（またはそのＩＤ）も併せて管理サーバに送信する構成としてもよい。
【０１５１】
管理サーバは、ステップＳ５０５において、情報提供端末から受信したデータをデータベースに登録する。この登録処理によって、例えば先に図１０を参照して説明したデータがデータベースに格納されることになる。
【０１５２】
次にＩＣカードを所有するユーザが、例えばクライアント端末を備えた家庭内において、クライアント端末を利用してサーバにアクセスすることによって実行される処理であるステップＳ５０６〜Ｓ５１１の処理について説明する。
【０１５３】
まず、ステップＳ５０６において、クライアント端末は、ウェブ（Ｗｅｂ）情報提供サーバの提供するポータルサイトのログイン処理を行う。クライアント端末は、予めウェブ（Ｗｅｂ）情報提供サーバの提供するウェブページにクライアント端末専用のポータルサイトを開設し、そのアクセス、すなわちウェブページ閲覧のためのログインＩＤやパスワード等のログイン情報を設定済みであり、登録されたログイン情報（本例ではログインＩＤとパスワード）の入力によってクライアント端末用のポータルサイトの閲覧を行う。
【０１５４】
クライアント端末からのポータルサイトの閲覧要求として、クライアントからログイン情報（本例ではログインＩＤとパスワード）を受信した情報提供サーバは、ステップＳ５０７において、例えばクライアント端末専用のページをクライアント端末に提示する。この提供情報は、例えば先に図１４を参照して説明した、
（Ａ）ウェブ（Ｗｅｂ）情報提供サーバの提供するウェブページ
である。
【０１５５】
次に、ステップＳ５０８において、クライアント端末は、管理サーバに対して、書き込み情報の要求を行う。この処理においても、クライアント端末は、予め管理サーバに登録済みのログインＩＤやパスワード等のログイン情報を入力する。管理サーバは、先に図１０を参照して説明したデータベース内のＩＤ対応管理情報１８１からログイン情報（本例ではログインＩＤとパスワード）に対応して設定された書き込み情報ＩＤを取得し、書き込み情報ＩＤによって特定される書き込み情報を取得し、ステップＳ５０９において、クライアント端末に提供する。この提供情報は、例えば先に図１４を参照して説明した、
（Ｂ）管理サーバの提供する書き込み情報、
である。
【０１５６】
次に、クライアント端末は、ステップＳ５１０において、ウェブ（Ｗｅｂ）情報提供サーバの提供するウェブページに、管理サーバの提供する書き込み情報をマージする処理を実行し、ステップＳ５１１において、２つの異なるサーバからの提供情報を一画面上に併せて表示し閲覧する。なお、マージ処理の具体例について先に図１４を参照して説明した通りである。
【０１５７】
本実施例では、クライアント端末がカードリーダを有していない構成であり、ＩＣカードに蓄積された情報は、クライアント端末が直接、読み込んで表示することが不可能であるが、クライアント端末は、管理サーバを介してＩＣカードに格納された情報やその関連情報を閲覧することが可能となる。
【０１５８】
また、本実施例は、ウェブ（Ｗｅｂ）情報提供サーバの提供するウェブ（Ｗｅｂ）ページ上に書き込み情報をマージして表示する構成であり、例えば、ウェブ（Ｗｅｂ）情報提供サーバの提供するウェブ（Ｗｅｂ）ページが、ユーザが購入済みの音楽タイトル情報を記録したクライアント専用のサイトであり、新たにＩＣカードによって書き込み情報として取得した楽曲やアルバム情報を管理サーバから取得してマージして表示することで、これまでユーザが購入した曲情報と比較して参照するといった処理が可能となる。
【０１５９】
なお、上述の実施例においても、実施例１，２と同様、情報提供端末３１０からＩＣカード３２０に対して提供情報を出力し、ＩＣカード３２０内の記憶部に格納する構成として説明したが、クライアント端末３３０が管理サーバ３４０からすべての情報を得る構成の場合には、情報提供端末３１０からＩＣカード３２０に対する提供情報の出力、格納は省略してもよい。
【０１６０】
なお、先にも説明したが、ＩＣカード３２０は、カード型のＩＣカードのみならず、ＩＣカード機能を有する携帯電話、あるいは携帯端末やＰＣなどの情報処理装置であってもよい。
【０１６１】
なお、各実施例１〜３において、情報提供端末はＩＣカードに対する提供情報を保持する構成としてもよいが、管理サーバ１４０が提供情報を保持し、情報提供端末を介して表示するという処理を行う構成としてもよい。たとえば、情報提供端末をＷｅｂブラウザとし、管理サーバをＷｅｂサーバとして、情報提供端末には単に管理サーバ（Ｗｅｂサーバ）から送信したＨＴＭＬなどの画面情報を表示し、必要に応じて情報をＩＣカードに書き込むという処理を行う設定である。
【０１６２】
以上、特定の実施例を参照しながら、本発明について詳解してきた。しかしながら、本発明の要旨を逸脱しない範囲で当業者が実施例の修正や代用を成し得ることは自明である。すなわち、例示という形態で本発明を開示してきたのであり、限定的に解釈されるべきではない。本発明の要旨を判断するためには、特許請求の範囲の欄を参酌すべきである。
【０１６３】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。例えば、プログラムは記録媒体に予め記録しておくことができる。記録媒体からコンピュータにインストールする他、ＬＡＮ（Ｌｏｃａｌ  Ａｒｅａ  Ｎｅｔｗｏｒｋ）、インターネットといったネットワークを介してプログラムを受信し、内蔵するハードディスク等の記録媒体にインストールすることができる。
【０１６４】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【０１６５】
以上、説明したように、本発明の一実施例の構成によれば、デジタルサイネージやスマートポスターに備えられた通信部とユーザのＩＣカードとの通信情報をサーバに蓄積し、サーバ蓄積情報を利用することで、リーダライタ（Ｒ／Ｗ）機能を持たないＰＣなどのクライアント端末がサーバから様々な情報を取得することを可能とした。具体的には、情報提供端末が、ＩＣカードのカードＩＤ、およびＩＣカードに対する提供情報または提供情報ＩＤを管理サーバに送信し、管理サーバがカードＩＤと提供情報とを対応付けてデータベースに管理する。管理サーバは、クライアント端末からの情報要求に応じてＩＣカードに対する提供情報をデータベースから取得してクライアント端末に提供する。本構成により、リーダライタ（Ｒ／Ｗ）機能を持たないＰＣであってもネット接続可能なＰＣを利用してサーバから様々な情報を取得する構成が実現される。
【図面の簡単な説明】
【０１６６】
【図１】本発明の第１実施例に係る情報提供システムの構成および処理について説明する図である。
【図２】本発明の第１実施例に係る情報提供システムを構成する各要素の構成例について説明する図である。
【図３】本発明の第１実施例における管理サーバの有するデータベースのデータ記録構成例について説明する図である。
【図４】本発明の第１実施例に係る情報提供システムの全体処理シーケンスについて説明するシーケンス図である。
【図５】クライアント端末とＩＣカードとの紐付け処理（リンク設定処理）の処理シーケンスについて説明するシーケンス図である。
【図６】クライアント端末とＩＣカードとの紐付け処理（リンク設定処理）が行われている場合の情報提供シーケンスについて説明する図である。
【図７】本発明の第２実施例に係る情報提供システムの構成および処理について説明する図である。
【図８】クライアント端末とＩＣカードとの紐付け処理（リンク設定処理）の処理シーケンスについて説明するシーケンス図である。
【図９】クライアント端末とＩＣカードとの紐付け処理（リンク設定処理）の処理によって生成されるＩＤ対応管理情報について説明する図である。
【図１０】本発明の第２実施例における情報提供サーバの有するデータベースのデータ記録構成例について説明する図である。
【図１１】本発明の第２実施例に係る情報提供システムを構成する各要素の構成例について説明する図である。
【図１２】本発明の第２実施例に係る情報提供システムの全体処理シーケンスについて説明するシーケンス図である。
【図１３】本発明の第３実施例に係る情報提供システムの構成および処理について説明する図である。
【図１４】本発明の第３実施例に係る情報提供システムのクライアント端末が実行するマージ処理について説明する図である。
【図１５】本発明の第３実施例に係る情報提供システムを構成する各要素の構成例について説明する図である。
【図１６】本発明の第３実施例に係る情報提供システムの全体処理シーケンスについて説明するシーケンス図である。
【符号の説明】
【０１６７】
１１０  情報提供端末
１１１  通信部
１１２  通信部
１１３  制御部
１１４  記憶部
１２０  ＩＣカード
１２１  通信部
１２２  制御部
１２３  記憶部
１３０  クライアント端末
１３１  ウェブ（Ｗｅｂ）クライアント
１３２  通信部
１３３  制御部
１３４  記憶部
１４０  管理サーバ
１４１  制御部
１４２  通信部
１４３  データベース
１４４  ウェブ（Ｗｅｂ）サーバ
１４５  記憶部
１５１  ネットワーク
１８１  ＩＤ対応管理情報
１８２  書き込み情報
２１０  情報提供端末
２１１  通信部
２１２  通信部
２１３  制御部
２１４  記憶部
２２０  ＩＣカード
２２１  通信部
２２２  制御部
２２３  記憶部
２３０  クライアント端末
２３１  ウェブ（Ｗｅｂ）クライアント
２３２  制御部
２３３  記憶部
２４０  管理サーバ
２４１  制御部
２４２  通信部
２４３  データベース
２４４  記憶部
２５０  情報提供サーバ
２５１  データベース
２５２  制御部
２５３  通信部
２５４  ウェブ（Ｗｅｂ）サーバ
２５５  記憶部
２８１  ＩＤ対応管理情報
２８２  書き込み情報
２９１  ネットワーク
３１０  情報提供端末
３１１  通信部
３１２  通信部
３１３  制御部
３１４  記憶部
３２０  ＩＣカード
３２１  通信部
３２２  制御部
３２３  記憶部
３３０  クライアント端末
３３１  ウェブ（Ｗｅｂ）クライアント
３３２  制御部
３３３  記憶部
３４０  管理サーバ
３４１  制御部
３４２  通信部
３４３  データベース
３４４  ウェブ（Ｗｅｂ）サーバ
３４５  記憶部
３５０  ウェブ（Ｗｅｂ）情報提供サーバ
３５１  データベース
３５２  制御部
３５３  通信部
３５４  ウェブ（Ｗｅｂ）サーバ
３５５  記憶部
【図２】
2009134694.tif 000003
【図３】
2009134694.tif 000004
【図４】
2009134694.tif 000005
【図５】
2009134694.tif 000006
【図６】
2009134694.tif 000007
【図８】
2009134694.tif 000008
【図９】
2009134694.tif 000009
【図１０】
2009134694.tif 000010
【図１１】
2009134694.tif 000011
【図１２】
2009134694.tif 000012
【図１４】
2009134694.tif 000013
【図１５】
2009134694.tif 000014
【図１６】
2009134694.tif 000015
【図１】
2009134694.tif 000016
【図７】
2009134694.tif 000017
【図１３】
2009134694.tif 000018
【手続補正書】
【提出日】平成21年4月24日(2009.4.24)
【手続補正１】
【補正対象書類名】特許請求の範囲
【補正対象項目名】全文
【補正方法】変更
【補正の内容】
【特許請求の範囲】
【請求項１】
カードＩＤを記憶したＩＣカードと、
前記ＩＣカードのカードＩＤを読み取り、ＩＣカードに対して情報提供を実行するとともに、前記カードＩＤ、およびＩＣカードに対する提供情報または提供情報ＩＤを管理サーバに送信する情報提供端末と、
前記情報提供端末から、前記カードＩＤおよびＩＣカードに対する提供情報または提供情報ＩＤを受信し、カードＩＤと提供情報とを対応付けて管理するデータベースを有するとともに、クライアント端末からの情報要求に応じて、前記ＩＣカードに対する提供情報を前記データベースから取得してクライアント端末に提供する管理サーバと、
前記管理サーバからの提供情報を表示するクライアント端末と、
を有する情報提供システム。
【請求項２】
前記クライアント端末は、
前記ＩＣカードからカードＩＤを読み取り、読み取ったカードＩＤを前記管理サーバに送信する処理を実行する構成であり、
前記管理サーバは、
前記クライアント装置からの受信カードＩＤに基づいて、前記データベースの検索を実行して、受信カードＩＤの設定されたＩＣカードに提供した情報を前記データベースから取得してクライアント端末に提供する処理を実行する構成であることを特徴とする請求項１に記載の情報提供システム。
【請求項３】
前記管理サーバは、
前記クライアント端末から、カードＩＤおよびクライアント端末識別情報を受信し、受信したカードＩＤとクライアント端末識別情報とを対応付けたＩＤ対応管理情報を登録する構成であり、
登録されたＩＤ対応管理情報を利用して、前記クライアント端末から受信するクライアント端末識別情報に対応するカードＩＤを判別し、判別したカードＩＤによって特定されるＩＣカードに対する提供情報を前記データベースから取得してクライアント端末に提供する処理を実行することを特徴とする請求項１に記載の情報提供システム。
【請求項４】
前記ＩＣカードはＩＣカード機能を有する情報処理装置である請求項１〜３いずれかに記載の情報提供システム。
【請求項５】
カードＩＤを記憶したＩＣカードと、
前記ＩＣカードのカードＩＤを読み取り、ＩＣカードに対して情報提供を実行するとともに、前記カードＩＤ、およびＩＣカードに対する提供情報または提供情報ＩＤを管理サーバに送信する情報提供端末と、
前記情報提供端末から、前記カードＩＤ、およびＩＣカードに対する提供情報または提供情報ＩＤを受信し、カードＩＤと提供情報とを対応付けて情報提供サーバに送信する管理サーバと、
前記管理サーバから、前記カードＩＤ、およびＩＣカードに対する提供情報または提供情報ＩＤを受信し、カードＩＤと提供情報とを対応付けて管理するデータベースを有するとともに、クライアント端末からの情報要求に応じて、前記ＩＣカードに対する提供情報を前記データベースから取得してクライアント端末に提供する情報提供サーバと、
前記情報提供サーバからの提供情報を表示するクライアント端末と、
を有する情報提供システム。
【請求項６】
前記情報提供サーバは、
前記クライアント端末から、カードＩＤおよびクライアント端末識別情報を受信し、受信したカードＩＤとクライアント端末識別情報とを対応付けたＩＤ対応管理情報を登録する構成であり、
登録されたＩＤ対応管理情報を利用して、前記クライアント端末から受信するクライアント端末識別情報に対応するカードＩＤを判別し、判別したカードＩＤによって特定されるＩＣカードに対する提供情報を前記データベースから取得してクライアント端末に提供する処理を実行することを特徴とする請求項５に記載の情報提供システム。
【請求項７】
カードＩＤを記憶したＩＣカードと、
前記ＩＣカードのカードＩＤを読み取り、ＩＣカードに対して情報提供を実行するとともに、前記カードＩＤ、およびＩＣカードに対する提供情報または提供情報ＩＤを管理サーバに送信する情報提供端末と、
前記情報提供端末から、前記カードＩＤ、およびＩＣカードに対する提供情報または提供情報ＩＤを受信し、カードＩＤと提供情報とを対応付けて管理するデータベースを有するとともに、クライアント端末からの情報要求に応じて、前記ＩＣカードに対する提供情報を前記データベースから取得してクライアント端末に提供する管理サーバと、
前記クライアント端末からの要求に応じてウェブページを提供するウェブ情報提供サーバと、
前記ウェブ情報提供サーバの提供するウェブページに、前記管理サーバからの提供情報をマージして表示するクライアント端末と、
を有する情報提供システム。
【請求項８】
前記ウェブ情報提供サーバは、
前記管理サーバがクライアント端末に提供する情報の表示領域を設定したウェブページを生成して前記クライアント端末に提供する構成であり、
前記クライアント端末は、
前記ウェブ情報提供サーバによって提供されるウェブページ内の設定領域に、前記管理サーバの提供情報を表示する設定とした表示データ生成処理を実行する構成であることを特徴とする請求項７に記載の情報提供システム。
【請求項９】
前記管理サーバは、
前記クライアント端末から、カードＩＤおよびクライアント端末識別情報を受信し、受信したカードＩＤとクライアント端末識別情報とを対応付けたＩＤ対応管理情報を登録する構成であり、
登録されたＩＤ対応管理情報を利用して、前記クライアント端末から受信するクライアント端末識別情報に対応するカードＩＤを判別し、判別したカードＩＤによって特定されるＩＣカードに対する提供情報を前記データベースから取得してクライアント端末に提供する処理を実行することを特徴とする請求項７に記載の情報提供システム。
【請求項１０】
前記ＩＣカードはＩＣカード機能を有する情報処理装置である請求項７〜９いずれかに記載の情報提供システム。
【請求項１１】
ＩＣカードに対する情報提供処理を実行する情報処理装置であり、
ＩＣカードのカードＩＤを読み取り、ＩＣカードに対して情報提供を実行する近接非接触通信を実行する通信部と、
前記通信部を介して入力したカードＩＤと、ＩＣカードに対して提供した情報または情報ＩＤを組み合わせて、管理サーバに送信する処理を実行する制御部と、
を有することを特徴とする情報処理装置。
【請求項１２】
クライアント端末に対する情報提供処理を実行する情報処理装置であり、
ＩＣカードに対する情報提供処理を実行する情報提供端末から、情報提供処理を実行したＩＣカードのカードＩＤ、およびＩＣカードに対する提供情報または提供情報ＩＤを受信する通信部と、
カードＩＤと提供情報とを対応付けてデータベースに格納し管理するとともに、クライアント端末からの情報要求に応じて、前記ＩＣカードに対する提供情報を前記データベースから取得してクライアント端末に提供する処理を実行する制御部と、
を有することを特徴とする情報処理装置。
【請求項１３】
前記制御部は、
前記クライアント端末から、カードＩＤおよびクライアント端末識別情報を受信し、受信したカードＩＤとクライアント端末識別情報とを対応付けたＩＤ対応管理情報を記憶部に登録し、登録されたＩＤ対応管理情報を利用して、前記クライアント端末から受信するクライアント端末識別情報に対応するカードＩＤを判別し、判別したカードＩＤによって特定されるＩＣカードに対する提供情報を前記データベースから取得してクライアント端末に提供する処理を実行することを特徴とする請求項１２に記載の情報処理装置。
【請求項１４】
情報提供端末が、ＩＣカードのカードＩＤを読み取り、ＩＣカードに対して情報提供を行うとともに、前記カードＩＤ、およびＩＣカードに対する提供情報または提供情報ＩＤを管理サーバに送信するステップと、
管理サーバが、前記情報提供端末から前記カードＩＤおよびＩＣカードに対する提供情報または提供情報ＩＤを受信し、カードＩＤと提供情報とを対応付けてデータベースに記録するステップと、
前記管理サーバが、クライアント端末からの情報要求に応じて、前記ＩＣカードに対する提供情報を前記データベースから取得してクライアント端末に提供するステップと、
クライアント端末が、前記管理サーバからの提供情報をディスプレイに表示するステップと、
を有する情報処理方法。
【請求項１５】
情報提供端末が、ＩＣカードのカードＩＤを読み取り、ＩＣカードに対して情報提供を行うとともに、前記カードＩＤ、およびＩＣカードに対する提供情報または提供情報ＩＤを管理サーバに送信するステップと、
管理サーバが、前記情報提供端末から前記カードＩＤおよびＩＣカードに対する提供情報または提供情報ＩＤを受信し、カードＩＤと提供情報とを対応付けて情報提供サーバに送信するステップと、
情報提供サーバが、前記管理サーバから前記カードＩＤおよびＩＣカードに対する提供情報または提供情報ＩＤを受信し、カードＩＤと提供情報とを対応付けてデータベースに記録するステップと、
前記情報提供サーバが、クライアント端末からの情報要求に応じて、前記ＩＣカードに対する提供情報を前記データベースから取得してクライアント端末に提供するステップと、
クライアント端末が、前記情報提供サーバからの提供情報をディスプレイに表示するステップと、
を有する情報処理方法。
【請求項１６】
情報提供端末が、ＩＣカードのカードＩＤを読み取り、ＩＣカードに対して情報提供を行うとともに、前記カードＩＤ、およびＩＣカードに対する提供情報または提供情報ＩＤを管理サーバに送信するステップと、
管理サーバが、前記情報提供端末から前記カードＩＤおよびＩＣカードに対する提供情報または提供情報ＩＤを受信し、カードＩＤと提供情報とを対応付けてデータベースに記録するステップと、
前記管理サーバが、クライアント端末からの情報要求に応じて、前記ＩＣカードに対する提供情報を前記データベースから取得してクライアント端末に提供するステップと、
クライアント端末が、ウェブ情報提供サーバの提供するウェブページ上に前記管理サーバからの提供情報をマージしてディスプレイに表示するステップと、
を有する情報処理方法。
【請求項１７】
ＩＣカードに対する情報提供処理を実行する情報処理装置において実行する情報処理方法であり、
通信部が、ＩＣカードのカードＩＤを読み取り、ＩＣカードに対して情報提供を実行する近接非接触通信を実行する通信ステップと、
制御部が、前記通信部を介して入力したカードＩＤと、ＩＣカードに対して提供した情報または情報ＩＤを組み合わせて、管理サーバに送信する処理を実行するデータ処理ステップと、
を有することを特徴とする情報処理方法。
【請求項１８】
クライアント端末に対する情報提供処理を実行する情報処理装置において実行する情報処理方法であり、
通信部が、ＩＣカードに対する情報提供処理を実行する情報提供端末から、情報提供処理を実行したＩＣカードのカードＩＤ、およびＩＣカードに対する提供情報または提供情報ＩＤを受信する通信ステップと、
制御部が、カードＩＤと提供情報とを対応付けてデータベースに格納し管理するステップと、
前記制御部が、クライアント端末からの情報要求に応じて、前記ＩＣカードに対する提供情報を前記データベースから取得してクライアント端末に提供する処理を実行するステップと、
を有することを特徴とする情報処理方法。
【請求項１９】
ＩＣカードに対する情報提供処理を実行する情報処理装置において情報処理を実行させるコンピュータ・プログラムであり、
通信部に、ＩＣカードのカードＩＤを読み取り、ＩＣカードに対して情報提供を実行する近接非接触通信を実行させる通信ステップと、
制御部に、前記通信部を介して入力したカードＩＤと、ＩＣカードに対して提供した情報または情報ＩＤを組み合わせて、管理サーバに送信する処理を実行させるデータ処理ステップと、
を有することを特徴とするコンピュータ・プログラム。
【請求項２０】
クライアント端末に対する情報提供処理を実行する情報処理装置において情報処理を実行させるコンピュータ・プログラムであり、
通信部に、ＩＣカードに対する情報提供処理を実行する情報提供端末から、情報提供処理を実行したＩＣカードのカードＩＤ、およびＩＣカードに対する提供情報または提供情報ＩＤを受信させる通信ステップと、
制御部に、カードＩＤと提供情報とを対応付けてデータベースに格納させるステップと、
前記制御部に、クライアント端末からの情報要求に応じて、前記ＩＣカードに対する提供情報を前記データベースから取得してクライアント端末に提供する処理を実行させるステップと、
を有することを特徴とするコンピュータ・プログラム。
【手続補正２】
【補正対象書類名】明細書
【補正対象項目名】００１４
【補正方法】削除
【補正の内容】
【手続補正３】
【補正対象書類名】明細書
【補正対象項目名】００２０
【補正方法】削除
【補正の内容】
【手続補正４】
【補正対象書類名】明細書
【補正対象項目名】００２３
【補正方法】削除
【補正の内容】